(57)【要約】      （修正有）【課題】加湿運転から非加湿運転へ切り替えた後、空調室の湿度を速やかに目標湿度にすることができる可動型の気化式加湿装置を提供する。【解決手段】気化式加湿装置１０Ａは、空気流路を閉鎖して空気を加湿する加湿運転と、空気流路を一部開放して空気の一部を加湿する一部加湿運転と、空気流路を開放して空気を加湿しない非加湿運転とを実施する。加湿運転または一部加湿運転から非加湿運転への切り替え時では、給水を停止しつつ加湿エレメント２３ａ，２３ｂを旋回させて空気流路を開放し、非加湿運転から加湿運転または一部加湿運転への切り替え時では、給水を開始しつつ加湿エレメント２３ａ，２３ｂを旋回させて空気流路を閉鎖し、または、給水を開始しつつ加湿エレメント２３ａ，２３ｂを旋回させて空気流路の一部を開放する。【選択図】図１
2018021682.tif 000002
【特許請求の範囲】
【請求項１】
所定面積の空気流入面と前記空気流入面の反対側に位置する所定面積の空気流出面とを有して空気の空気流路に設置される加湿エレメントを備え、前記加湿エレメントに水を給水しつつ、湿潤状態にある前記加湿エレメントの空気流入面に空気を給気して該空気を加湿し、前記空気流出面から加湿空気を給気する気化式加湿装置において、
前記加湿エレメントは、垂直方向へ延びる回転軸を中心に旋回して前記空気流路を開閉可能であり、前記加湿エレメントが、前記空気流入面と前記空気流出面とを空気通流方向に直交させて前記空気流路を閉鎖する全閉状態に旋回するとともに、該空気流入面と該空気流出面とを空気通流方向に平行させて該空気流路を開放する全開状態に旋回することを特徴とする可動型の気化式加湿装置。
【請求項２】
前記気化式加湿装置が、前記空気流路を閉鎖して空気を加湿する加湿運転と、前記空気流路を開放して空気を加湿しない非加湿運転とを実施し、前記加湿運転から前記非加湿運転への切り替え時では、前記給水を停止しつつ前記加湿エレメントを旋回させて空気流路を開放し、前記非加湿運転から前記加湿運転への切り替え時では、前記給水を開始しつつ前記加湿エレメントを旋回させて前記空気流路を閉鎖する請求項１に記載の可動型の気化式加湿装置。
【請求項３】
前記気化式加湿装置では、少なくとも２つの加湿エレメントが水平方向へ並列し、一方の加湿エレメントが、垂直方向へ延びる回転軸を中心に水平方向へ旋回し、前記一方の加湿エレメントに隣接する他方の加湿エレメントが、垂直方向へ延びる回転軸を中心に水平方向へ旋回する請求項１または請求項２に記載の可動型の気化式加湿装置。
【請求項４】
前記気化式加湿装置が、前記空気流路を部分的に開放して空気の一部を加湿する一部加湿運転を含み、前記一部加湿運転において前記加湿エレメントが、前記空気流路の全閉状態と全開状態との間において該空気流路を部分的に開放する一部開放状態に旋回し、前記一部加湿運転が、前記空気の加湿割合に応じて前記加湿エレメントの旋回角度を調節し、前記加湿エレメントを所定の旋回角度に旋回させて前記空気流路の開放割合を調節する請求項１ないし請求項３いずれかに記載の可動型の気化式加湿装置。
【請求項５】
前記気化式加湿装置が、前記加湿空気によって加湿される被加湿空間の湿度を測定する湿度センサを含み、前記湿度センサが測定した被加湿空間の測定湿度があらかじめ設定された設定湿度になるように、前記加湿運転と前記一部加湿運転と前記非加湿運転とのいずれかを実施し、前記一部加湿運転では、前記測定湿度が前記設定湿度になるように、前記加湿エレメントの旋回角度を調節しつつ前記空気流路の開放割合を調節する請求項４に記載の可動型の気化式加湿装置。
【請求項６】
前記気化式加湿装置が、前記回転軸を回転させて前記加湿エレメントを自動的に旋回させる駆動機構を含む請求項１ないし請求項５いずれかに記載の可動型の気化式加湿装置。
【請求項７】
前記気化式加湿装置が、前記加湿エレメントの上端縁部に位置して該加湿エレメントの両側縁の間に延びていて前記水を該加湿エレメントに給水する給水ヘッダを含み、前記給水ヘッダが、前記回転軸の回転によって旋回し、前記加湿エレメントの旋回に連動しつつ該加湿エレメントとともに旋回する請求項１ないし請求項６いずれかに記載の可動型の気化式加湿装置。
【請求項８】
前記気化式加湿装置が、前記加湿エレメントを収容するハウジングを含み、前記ハウジングを介して空気調和機の外側またはダクトに連結され、前記空気調和機または前記ダクトに加湿空気または非加湿空気を給気する請求項１ないし請求項７いずれかに記載の可動型の気化式加湿装置。
【請求項９】
前記気化式加湿装置が、空気調和機の内部に設置され、前記空気調和機の内部において加湿空気または非加湿空気を生成する請求項１ないし請求項７いずれかに記載の可動型の気化式加湿装置。
【請求項１０】
前記空気調和機が、前記被加湿空間に外気または外気と還気との混合気を利用した外気冷房を行い、または、前記被加湿空間に還気を利用した循環冷房を行い、前記気化式加湿装置では、前記被加湿空間に外気冷房または循環冷房を行う場合、前記加湿運転と前記一部加湿運転と前記非加湿運転とのいずれかが実施される請求項４ないし請求項７いずれかに記載の可動型の気化式加湿装置。
【発明の詳細な説明】
【技術分野】
【０００１】
本発明は、湿潤状態にある加湿エレメントの空気流入面に空気を給気して空気を加湿し、空気流出面から加湿空気を給気する気化式加湿装置に関する。
【背景技術】
【０００２】
一般的に利用されている気化式加湿装置は、所定面積の空気流入面と所定面積の空気流出面とを有する加湿エレメントと、加湿エレメントの上端縁部に水を給水する給水ヘッダと、各給水ヘッダに水を分配する給水分配ヘッダと、加湿エレメントの下端部から流出する水を収容するドレンパンとから形成されている。そのような気化式加湿装置では、空気を加湿する加湿運転と空気を加湿しない非加湿運転とが行われる。加湿運転では、加湿エレメントに水を給水しつつ、湿潤状態にある加湿エレメントの空気流入面に空気を給気して空気を加湿し、空気流出面から加湿空気を給気する。非加湿運転では、空気の給気を継続した状態で加湿エレメントへの給水を停止する。
【０００３】
非加湿運転時に加湿エレメントを空気が通流することによって圧力損失が生じ、その圧力損失による消費電力の増加を防ぐことを目的に、非加湿運転時に加湿エレメントを折り畳む気化式加湿装置が開示されている（特許文献１参照）。この気化式加湿装置は、空気調和機の内部に組み込まれ、加湿エレメントの加湿面を加湿不要時に空気通路から退避させる退避機構を有し、退避機構が指令装置の指令によって駆動する加湿エレメント駆動装置を利用し、加湿面を少なくとも２つに折り畳む。
【０００４】
特許文献１に開示の気化式加湿装置の加湿エレメント駆動装置は、一対の加湿エレメントの上面の両端に固定された支持部材と、それら加湿エレメントの両端の間に延びていて支持部材に回動可能に取り付けられたネジ棒と、一方の支持部材の外側に設置されてネジ棒を回転させるモータと、ネジ棒に螺着されてネジ棒の回転によって左右方向に移動する移動部材と、移動部材に回転可能に連結されて一方の加湿エレメントの外側端に接続された接続部材とから形成されている。この気化式加湿装置では、加湿エレメント駆動装置のモータが駆動してネジ棒が正回転すると、それによって移動部材が移動するとともに、移動部材に連結された接続部材が移動し、接続部材が接続された加湿エレメントの外側端が次第に移動してそれら加湿エレメントが重なり合い、それら加湿エレメントが２つに折り畳まれる。
【先行技術文献】
【特許文献】
【０００５】
【特許文献１】特開２０１６−３１１６３号公報
【発明の概要】
【発明が解決しようとする課題】
【０００６】
既述の一般的に利用されている気化式加湿装置は、加湿運転から非加湿運転への切り替え時に給水を停止させるが、加湿エレメントが水で濡れた湿潤状態にあり、空気の給気を継続して加湿エレメントが乾燥するまでに所定の時間を要し、加湿運転から非加湿運転への切り替え後であって加湿エレメントが乾燥するまでの間に加湿された加湿空気が被加湿空間に給気される。したがって、非加湿運転時の被加湿空間の湿度が目標湿度よりも高くなり、被加湿空間の湿度が目標湿度になるまでに時間を要し、加湿運転から非加湿運転へ切り替えた後、加湿空間の湿度を速やかに目標湿度にすることができない。
【０００７】
前記特許文献１に開示の気化式加湿器は、加湿エレメントを折り畳んで空気流路を開放する全開状態と、折り畳まれた加湿エレメントを展開して空気流路を閉鎖する全閉状態とのいずれかの状態しか取り得ず、空気流路を一部開放する一部開放状態にすることはなく、被加湿空間の加湿割合に応じて空気の加湿割合を調節することができないから、精密な精度で被加湿空間の湿度をコントロールすることができない。
【０００８】
本発明の目的は、加湿運転から非加湿運転へ切り替えた後、被加湿空間の湿度を速やかに目標湿度にすることができる可動型の気化式加湿装置を提供することにある。本発明の他の目的は、被加湿空間の湿度を精密な精度でコントロールすることができる可動型の気化式加湿装置を提供することにある。
【課題を解決するための手段】
【０００９】
前記課題を解決するための本発明の前提は、所定面積の空気流入面と空気流入面の反対側に位置する所定面積の空気流出面とを有して空気の空気流路に設置される加湿エレメントを備え、加湿エレメントに水を給水しつつ、湿潤状態にある加湿エレメントの空気流入面に空気を給気して空気を加湿し、空気流出面から加湿空気を給気する気化式加湿装置である。
【００１０】
前記前提における本発明の特徴として、加湿エレメントは、垂直方向へ延びる回転軸を中心に旋回して空気流路を開閉可能であり、加湿エレメントが、空気流入面と空気流出面とを空気通流方向に直交させて空気流路を閉鎖する全閉状態に旋回するとともに、空気流入面と空気流出面とを空気通流方向に平行させて空気流路を開放する全開状態に旋回することにある。
【００１１】
本発明の一例としては、気化式加湿装置が、空気流路を閉鎖して空気を加湿する加湿運転と、空気流路を開放して空気を加湿しない非加湿運転とを実施し、加湿運転から非加湿運転への切り替え時では、給水を停止しつつ加湿エレメントを旋回させて空気流路を開放し、非加湿運転から加湿運転への切り替え時では、給水を開始しつつ加湿エレメントを旋回させて空気流路を閉鎖する。
【００１２】
本発明の他の一例として、気化式加湿装置では、少なくとも２つの加湿エレメントが水平方向へ並列し、一方の加湿エレメントが、垂直方向へ延びる回転軸を中心に水平方向へ旋回し、一方の加湿エレメントに隣接する他方の加湿エレメントが、垂直方向へ延びる回転軸を中心に水平方向へ旋回する。
【００１３】
本発明の他の一例としては、気化式加湿装置が、空気流路を部分的に開放して空気の一部を加湿する一部加湿運転を含み、一部加湿運転において加湿エレメントが、空気流路の全閉状態と全開状態との間において空気流路を部分的に開放する一部開放状態に旋回し、一部加湿運転が、空気の加湿割合に応じて加湿エレメントの旋回角度を調節し、加湿エレメントを所定の旋回角度に旋回させて空気流路の開放割合を調節する。
【００１４】
本発明の他の一例としては、気化式加湿装置が、加湿空気によって加湿される被加湿空間の湿度を測定する湿度センサを含み、湿度センサが測定した被加湿空間の測定湿度があらかじめ設定された設定湿度になるように、加湿運転と一部加湿運転と非加湿運転とのいずれかを実施し、一部加湿運転では、測定湿度が設定湿度になるように、加湿エレメントの旋回角度を調節しつつ空気流路の開放割合を調節する。
【００１５】
本発明の他の一例としては、気化式加湿装置が、回転軸を回転させて加湿エレメントを自動的に旋回させる駆動機構を含む。
【００１６】
本発明の他の一例としては、気化式加湿装置が、加湿エレメントの上端縁部に位置して加湿エレメントの両側縁の間に延びていて水を加湿エレメントに給水する給水ヘッダを含み、給水ヘッダが、回転軸の回転によって旋回し、加湿エレメントの旋回に連動しつつ加湿エレメントとともに旋回する。
【００１７】
本発明の他の一例としては、気化式加湿装置が、加湿エレメントを収容するハウジングを含み、ハウジングを介して空気調和機の外側またはダクトに連結され、空気調和機またはダクトに加湿空気または非加湿空気を給気する。
【００１８】
本発明の他の一例としては、気化式加湿装置が、空気調和機の内部に設置され、空気調和機の内部において加湿空気または非加湿空気を生成する。
【００１９】
本発明の他の一例としては、空気調和機が、被加湿空間に外気または外気と還気との混合気を利用した外気冷房を行い、または、被加湿空間に還気を利用した循環冷房を行い、気化式加湿装置では、被加湿空間に外気冷房または循環冷房を行う場合、加湿運転と一部加湿運転と非加湿運転とのいずれかが実施される。
【発明の効果】
【００２０】
本発明に係る可動型の気化式加湿装置によれば、加湿エレメントが回転軸を中心に旋回して空気流路を開閉可能であり、空気流入面と空気流出面とを空気通流方向に直交させて空気流路を閉鎖する全閉状態に旋回するとともに、空気流入面と空気流出面とを空気通流方向に平行させて空気流路を開放する全開状態に旋回するから、空気を加湿する加湿運転から空気を加湿しない非加湿運転への切り替え時に、加湿エレメントの空気流入面と空気流出面とが空気通流方向に平行するように加湿エレメントを旋回させて空気流路を開放する全開状態にすることで、空気が加湿エレメントを通流することはなく、加湿エレメントに残存する水への空気の接触を最小限にすることができ、被加湿空間への加湿空気の給気を最小限にすることができる。可動型の気化式加湿装置は、加湿運転から非加湿運転への切り替え後に加湿空気の被加湿空間への給気を最小限に抑えられるから、被加湿空間の湿度が必要以上に高くなることはない。
【００２１】
空気流路を閉鎖して空気を加湿する加湿運転と、空気流路を開放して空気を加湿しない非加湿運転とを実施し、加湿運転から非加湿運転への切り替え時において、給水を停止しつつ加湿エレメントを旋回させて空気流路を開放し、非加湿運転から加湿運転への切り替え時において、給水を開始しつつ加湿エレメントを旋回させて空気流路を閉鎖する可動型の気化式加湿装置は、加湿運転から非加湿運転への切り替え時に空気流入面と空気流出面とが空気通流方向に平行するように、加湿エレメントを旋回させて空気流路を開放するから、空気が加湿エレメントを通流することはなく、加湿エレメントに残存する水への空気の接触を最小限にすることができ、被加湿空間への加湿空気の給気を最小限にすることができる。気化式加湿装置は、非加湿運転から加湿運転への切り替え時に空気流入面と空気流出面とが空気通流方向に直交するように、加湿エレメントを旋回させて空気流路を閉鎖するから、非加湿運転から加湿運転へ速やかに切り替えることができ、直ちに加湿運転を行うことができるとともに、非加湿運転から加湿運転へ切り替えた後、被加湿空間の湿度を速やかに目標湿度にすることができる。
【００２２】
少なくとも２つの加湿エレメントが水平方向へ並列し、一方の加湿エレメントが垂直方向へ延びる回転軸を中心に水平方向へ旋回し、一方の加湿エレメントに隣接する他方の加湿エレメントが垂直方向へ延びる回転軸を中心に水平方向へ旋回する可動型の気化式加湿装置は、加湿運転から非加湿運転への切り替え時に、回転軸を中心に少なくとも２つの加湿エレメントを水平方向へ旋回させて空気流路を開放するから、空気が加湿エレメントを通流することはなく、それら加湿エレメントに残存する水への空気の接触を最小限にすることができ、被加湿空間への加湿空気の給気を最小限にするができる。気化式加湿装置は、非加湿運転から加湿運転への切り替え時に、回転軸を中心に少なくとも２つの加湿エレメントを水平方向へ旋回させて空気流路を閉鎖するから、非加湿運転から加湿運転へ速やかに切り替えることができ、それら加湿エレメントを利用して直ちに加湿運転を行うことができるとともに、非加湿運転から加湿運転へ切り替えた後、被加湿空間の湿度を速やかに目標湿度にすることができる。
【００２３】
空気流路を部分的に開放して空気の一部を加湿する一部加湿運転を含み、一部加湿運転において加湿エレメントが空気流路の全閉状態と全開状態との間において空気流路を部分的に開放する一部開放状態に旋回し、一部加湿運転が空気の加湿割合に応じて加湿エレメントの旋回角度を調節し、加湿エレメントを所定の旋回角度に旋回させて空気流路の開放割合を調節する可動型の気化式加湿装置は、一部加湿運転において空気の加湿割合に応じて加湿エレメントが所定の旋回角度に旋回し、空気流路の開放割合を調節するから、加湿エレメントの旋回角度によって加湿エレメントを通流する空気の割合を調節することができ、被加湿空間の湿度を精密な精度でコントロールすることができ、被加湿空間の目標湿度が厳格に設定されていたとしても、被加湿空間の湿度をその目標湿度にすることができる。
【００２４】
加湿空気によって加湿される被加湿空間の湿度を測定する湿度センサを含み、湿度センサが測定した被加湿空間の測定湿度があらかじめ設定された設定湿度になるように、加湿運転と一部加湿運転と非加湿運転とのいずれかを実施し、一部加湿運転において、測定湿度が設定湿度になるように、加湿エレメントの旋回角度を調節しつつ空気流路の開放割合を調節する可動型の気化式加湿装置は、湿度センサによって被加湿空間の湿度を測定し、測定湿度が設定湿度になるように加湿運転と一部加湿運転と非加湿運転とのいずれかを実施しつつ、一部加湿運転において加湿エレメントの旋回角度を調節することで、フィードバック制御を実施しつつ被加湿空間の湿度を精密な精度でコントロールすることができ、被加湿空間の湿度を目標湿度にすることができる。
【００２５】
回転軸を回転させて加湿エレメントを自動的に旋回させる駆動機構を含む可動型の気化式加湿装置は、駆動機構を利用して加湿エレメントを自動的に旋回させることで、加湿運転から非加湿運転へ迅速に切り替えることができ、非加湿運転から加湿運転へ迅速に切り替えることができる。気化式加湿装置は、加湿運転から非加湿運転への切り替え時に、駆動機構を利用して加湿エレメントを旋回させて空気流路を開放するから、空気が加湿エレメントを通流することはなく、加湿エレメントに残存する水への空気の接触を最小限にすることができ、被加湿空間への加湿空気の給気を最小限にすることができる。気化式加湿装置は、非加湿運転から加湿運転への切り替え時に、駆動機構を利用して加湿エレメントを旋回させて空気流路を閉鎖するから、加湿エレメントを利用して直ちに加湿運転を行うことができるとともに、非加湿運転から加湿運転へ切り替えた後、被加湿空間の湿度を速やかに目標湿度にすることができる。
【００２６】
加湿エレメントの上端縁部に位置して加湿エレメントの両側縁の間に延びていて水を加湿エレメントに給水する給水ヘッダを含み、給水ヘッダが回転軸の回転によって旋回し、加湿エレメントの旋回に連動しつつ加湿エレメントとともに旋回する可動型の気化式加湿装置は、一部加湿運転において加湿エレメントが所定の旋回角度に旋回し、それにともなって給水ヘッダが加湿エレメントとともに旋回するから、給水ヘッダから加湿エレメントに水が確実に給水され、被加湿空間の湿度を精密な精度でコントロールすることができ、一部加湿運転において被加湿空間の湿度をその目標湿度にすることができる。
【００２７】
加湿エレメントを収容するハウジングを含み、ハウジングを介して空気調和機の外側またはダクトに連結され、空気調和機またはダクトに加湿空気または非加湿空気を給気する可動型の気化式加湿装置は、気化式加湿装置が空気調和機の外側またはダクトに連結されることで、空気調和機によって作られた空調空気やダクトを流動する空気を加湿することができ、空気調和機またはダクトが接続された被加湿空間の湿度を調節することができる。気化式加湿装置は、空気調和機が湿度調節機能を備えていない場合であっても、その空気調和機に気化式加湿装置を連結することで、空気調和機に気化式加湿装置による湿度調節機能を付加することができ、空気調和機において加湿運転や一部加湿運転、非加湿運転を実施することができる。
【００２８】
気化式加湿装置が空気調和機の内部に設置され、空気調和機の内部において加湿空気または非加湿空気を生成する可動型の気化式加湿装置は、気化式加湿装置を空気調和機の内部に設置することで、空気調和機によって作られた空調空気に所定の湿度を付与することができ、空気調和機から空調された加湿空気を給気することができる。気化式加湿装置は、空気調和機に気化式加湿装置による湿度調節機能を付加することができ、空気調和機において加湿運転や一部加湿運転、非加湿運転を実施することができる。
【００２９】
空気調和機が被加湿空間に外気または外気と還気との混合気を利用した外気冷房を行い、または、被加湿空間に還気を利用した循環冷房を行い、被加湿空間に外気冷房または循環冷房を行う場合、加湿運転と一部加湿運転と非加湿運転とのいずれかが実施される可動型の気化式加湿装置は、被加湿空間に外気冷房を行うことで被加湿空間の湿度が低下する場合があるが、外気冷房において加湿運転または一部加湿運転を実施することで、被加湿空間の湿度の低下を防ぐことができ、被加湿空間の湿度を目標湿度にすることができる。被加湿空間に外気冷房または循環冷房を行うことで被加湿空間の湿度が増減する場合があるが、外気冷房または循環冷房において加湿運転または一部加湿運転あるいは非加湿運転が実施されるから、被加湿空間の湿度変化に対応しつつ被加湿空間の湿度を目標湿度にすることができる。
【図面の簡単な説明】
【００３０】
【図１】一例として示す気化式加湿装置の正面図。
【図２】空気調和機に連結された状態で示す気化式加湿装置の側面図。
【図３】気化式加湿装置および空気調和機を設置したデータセンターの側面図。
【図４】加湿運転の一例を示す気化式加湿装置の上面図。
【図５】一部加湿運転の一例を示す気化式加湿装置の上面図。
【図６】非加湿運転の一例を示す気化式加湿装置の上面図。
【図７】外気のみをサーバの冷却に利用する場合のデータセンターにおける外気（空気）の流れの一例を示す図。
【図８】外気と還気との混合気をサーバの冷却に利用する場合のデータセンターにおける混合気（空気）の流れの一例を示す図。
【図９】従来技術で示した一般的に利用されている気化式加湿装置を使用し、外気冷房における加湿運転や非加湿運転を行った場合の時間経過による空調室の湿度変化の一例を示す図。
【図１０】気化式加湿装置によって外気冷房における加湿運転や一部加湿運転、非加湿運転を行った場合の時間経過による空調室の湿度変化の一例を示す図。
【図１１】還気をサーバの冷却に利用する場合のデータセンターにおける還気（空気）の流れの一例を示す図。
【図１２】従来技術で示した一般的に利用されている気化式加湿装置を使用し、外気冷房および循環冷房における加湿運転および非加湿運転を行った場合の時間経過による空調室の湿度変化の他の一例を示す図。
【図１３】気化式加湿装置によって外気冷房および循環冷房における加湿運転や一部加湿運転、非加湿運転を行った場合の時間経過による空調室の湿度変化の一例を示す図。
【図１４】他の一例として示す気化式加湿装置の正面図。
【図１５】加湿運転時における図１４の気化式加湿装置の上面図。
【図１６】一部加湿運転時における図１４の気化式加湿装置の上面図。
【図１７】非加湿運転時における図１４の気化式加湿装置の上面図。
【図１８】他の一例として示す気化式加湿装置の正面図。
【図１９】加湿運転時における図１８の気化式加湿装置の上面図。
【図２０】一部加湿運転時における図１８の気化式加湿装置の上面図。
【図２１】非加湿運転時における図１８の気化式加湿装置の上面図。
【図２２】他の一例として示す気化式加湿装置の正面図。
【図２３】加湿運転時における図２２の気化式加湿装置の上面図。
【図２４】一部加湿運転時における図２２の気化式加湿装置の上面図。
【図２５】非加湿運転時における図２２の気化式加湿装置の上面図。
【図２６】気化式加湿装置と空気調和機との連結の他の一例を示す図。
【図２７】他の一例として示す空気調和機の側面図。
【発明を実施するための形態】
【００３１】
一例として示す気化式加湿装置１０Ａの正面図である図１等の添付の図面を参照し、本発明に係る気化式加湿装置の詳細を説明すると、以下のとおりである。なお、図２は、空気調和機１８に連結された状態で示す気化式加湿装置１０Ａの側面図であり、図３は、気化式加湿装置１０Ａおよび空気調和機１８を設置したデータセンター１１の側面図である。図３では、図２の状態にある気化式加湿装置１０Ａと空気調和機１８とがデータセンター１１に設置されている。図１は、ハウジング２２の図示を省略し、図３は、給水管４４や電磁弁４５の図示を省略している。図１では、垂直方向を矢印Ａで示し、水平方向を矢印Ｂで示す。
【００３２】
気化式加湿装置１０Ａ（気化式加湿装置１０Ｂ〜１０Ｄを含む）は、データセンター１１の空調室１３（被加湿空間）に所定温度の加湿空気や所定温度の非加湿空気を給気する場合に利用される。なお、被加湿空間に特に限定はなく、データセンターの他に、クリーンルームや商業ビル、病院、工場、店舗、ホール、劇場、体育館等のあらゆる被加湿空間に気化式加湿装置１０Ａ（気化式加湿装置１０Ｂ〜１０Ｄを含む）を利用することができる。
【００３３】
なお、商業ビルや病院、店舗等では、それらの室内にパッケージエアコンが設置される場合があるが、気化式加湿装置１０Ａ（気化式加湿装置１０Ｂ〜１０Ｄを含む）をパッケージエアコンに連結して使用することもできる。気化式加湿装置１０Ａ（気化式加湿装置１０Ｂ〜１０Ｄを含む）がパッケージエアコンに連結された場合、パッケージエアコンでは、冷媒コイルによって冷却された所定温度の加湿空気（加湿冷風）または非加湿空気（非加湿冷風）が給気されるとともに、冷媒コイルによって加温された所定温度の加湿空気（加湿温風）または非加湿空気（非加湿温風）が給気される。
【００３４】
データセンター１１には、空調室１２と、仕切壁１４を隔てて空調室１２に隣接する機械室１３とが施設されている。空調室１２は、コールドアイルとホットアイルとに区分されている。空調室１２には、床下空間１５と天井空間１６とが作られ、水平方向へ並ぶ複数のサーバラック１７が据え付けられている。機械室１３には、気化式加湿装置１０Ａと空気調和機１８とが設置されている。各サーバラック１７には、複数台のサーバ（図示せず）が設置・固定されている。それらサーバは、電源装置に接続され、その稼働時に運転熱によって自己発熱し、その温度が上昇する。データセンター１１の空調室１２では、空気調和機１８から給気された所定温度の加湿空気（加湿冷風）または所定温度の非加湿空気（非加湿冷風）によってそれらサーバが冷却される。
【００３５】
機械室１３と天井空間１５とを仕切る仕切壁１４には、空調室１２の温風（加熱空気）が通流する温風還流流路（図示せず）が作られている。空調室１２の天井空間１５には、空調室１２の温風を外部に排気する開閉可能な温風排気流路（図示せず）が作られている。機械室１３の壁には、外気を取り入れる開閉可能な外気取り入れ流路（図示せず）が作られている。コールドアイルは、隣接するサーバラック１７の間に位置している。コールドアイルには、所定温度の加湿空気または所定温度の非加湿空気が通流する。コールドアイルの床２０には、冷風吹出開口パネル（図示せず）が取り付けられている。
【００３６】
ホットアイルは、隣接するサーバラック１７の間であってサーバラック１７を挟んでコールドアイルの反対側に位置している。ホットアイルは、天井１９や床２０、側壁２１と、隣接するサーバラック１７と、たれ壁とに囲繞されている。ホットアイルには、サーバの熱を吸収した温風が流入する。ホットアイルの天井１９には、温風吸込開口（図示せず）が作られている。ホットアイルは、サーバラック１７およびたれ壁によって仕切られている。
【００３７】
気化式加湿装置１０Ａ（気化式加湿装置１０Ｂ〜１０Ｄを含む）は、床置き型であり、データセンター１１の機械室１３の床２０に設置され、空気調和機１８の上流側に配置（連結）されている。気化式加湿装置１０Ａは、ハウジング２２と、フィルタ４６および加湿エレメント２３と、給水ヘッダ２４および給水分配ヘッダ２５と、ドレンパン２６およびモーター２７（駆動機構）と、湿度センサ２８およびコントローラ２９（制御装置）とを備えている。
【００３８】
ハウジング２２は、金属製または合成樹脂製であり、頂底壁３０，３１および両側壁３２と、空気流入口３３および空気流出口３４とを有する。ハウジング２２には、それら壁３０〜３２に囲繞された所定容積の収容空間が画成されている。ハウジング２２の空気流入口３３は、ハウジング２２の空気通流方向前方に開口している。ハウジング２２の空気流出口３４は、ハウジング２２の空気通流方向後方に開口している。空気流出口３４には、接続ダクト３５が接続されている。ハウジング２２の収容空間には、フィルタ４６や加湿エレメント２３、給水ヘッダ２４、給水分配ヘッダ２５、ドレンパン２６、モーター２７が収容されている。フィルタ４６は、加湿エレメント２３の上流側に配置されている。ハウジング２２（気化式加湿装置１０Ａ）は、接続ダクト３５を介して空気調和機１８の上流に連結されている。
【００３９】
加湿エレメント２３は、２つのそれが水平方向へ並列する第１加湿エレメント２３ａおよび第２加湿エレメント２３ｂから形成されている。第１および第２加湿エレメント２３ａ，２３ｂは、ハウジング２２の空気が通流する空気流路Ｌ（ハウジングの加湿スペース）に着脱可能に設置されている。加湿エレメント２３の種類について特に限定はなく、公知のあらゆる加湿エレメントを使用することができる。加湿エレメント２３の数についても特に限定はなく、３つ以上の加湿エレメントが水平方向へ並列していてもよい。
【００４０】
第１および第２加湿エレメント２３ａ，２３ｂは、ハウジング２２の空気流入口３３に対向する所定面積の空気流入面３６と、空気流入面３６の反対側（空気調和機１８の側）に位置する所定面積の空気流出面３７とを有し、所定の厚み寸法を有する。空気流入面３６および空気流出面３７は、それらの平面形状が四角形に成形されている。それら加湿エレメント２３ａ，２３ｂは、水平方向へ延びる上端縁部３８および下端縁部３９と、垂直方向へ延びる両側縁部４０ａ，４０ｂと、それら縁部３８〜４０ａ，４０ｂの間に位置する中央部４１とを有する。それら加湿エレメント２３ａ，２３ｂの上下端縁部３８，３９および両側縁部４０には、金属製または合成樹脂製の支持フレーム４２が取り付けられている。
【００４１】
第１加湿エレメント２３ａの側縁部４０ｂには、垂直方向へ延びる第１回転軸４３ａが設置されている。第１回転軸４３ａは、ハウジング２２に設置された軸受け（図示せず）に回転可能に挿通され、第１加湿エレメント２３ａの側縁部４０ｂに取り付けられた支持フレーム４２に連結されている。第１加湿エレメント２３ａは、第１回転軸４３ａを中心に水平方向へ旋回し、空気流路Ｌを開閉する。
【００４２】
第１加湿エレメント２３ａは、空気流路Ｌを閉鎖した閉鎖状態（全閉状態）と空気流路Ｌを開放した開放状態（全開状態）との間で９０度旋回する。第１加湿エレメント２３ａは、水（水道水）が給水されると湿潤状態に保持され、空気流入面３６に給気された空気を加湿して加湿空気を作り、その加湿空気を空気流出面３７から流出させて空気調和機１８に給気する。
【００４３】
第２加湿エレメント２３ｂの側縁部４０ａ（第１回転軸４３ａが取り付けられた第１加湿エレメント２３ａの側縁部４０ｂに対向する側縁部４０ａ）には、垂直方向へ延びる第２回転軸４３ｂが設置されている。第２回転軸４３ｂは、ハウジング２２に設置された軸受け（図示せず）に回転可能に挿通され、第２加湿エレメント２３ｂの側縁部４０ａに取り付けられた支持フレーム４２に連結されている。第２加湿エレメント２３ｂは、第２回転軸４３ｂを中心に水平方向へ旋回し、空気流路Ｌを開閉する。なお、第１および第２加湿エレメント２３ａ，２３ｂは、両開き形式であるが、両開きには観音開きも含まれる。
【００４４】
第２加湿エレメント２３ｂは、空気流路Ｌを閉鎖した閉鎖状態（全閉状態）と空気流路Ｌを開放した開放状態（全開状態）との間で９０度旋回する。第２加湿エレメント２３ｂは、水（水道水）が給水されると湿潤状態に保持され、空気流入面３６に給気された空気を加湿して加湿空気を作り、その加湿空気を空気流出面３７から流出させて空気調和機１８に給気する。なお、第１加湿エレメント２３ａと第２加湿エレメント２３ｂとは、同期して旋回する場合、または、非同期に旋回する場合がある。
【００４５】
給水ヘッダ２４は、水平方向に並列して水平方向へ直状に延びる第１および第２給水ヘッダ２４ａ，２４ｂから形成されている。第１給水ヘッダ２４ａは、第１加湿エレメント２３ａの上端縁部３８に位置し、加湿エレメント２３ａの両側縁部４０ａ，４０ｂの間に延びている。第１給水ヘッダ２４ａは、第１加湿エレメント２３ａの上端縁部３８に固定手段によって着脱可能に固定され、第１加湿エレメント２３ａの旋回に伴って第１回転軸４３ａを中心に水平方向へ旋回する。
【００４６】
第１給水ヘッダ２４ａは、水平方向へ並ぶ複数の給水孔（図示せず）を有し、それら給水孔から第１加湿エレメント２３ａの両側縁部４０ａ，４０ｂの間に延びる上端縁部３８全域に所定量の水を満遍なく給水する。第１給水ヘッダ２４ａから第１加湿エレメント２３ａの上端縁部３８に給水された水は、加湿エレメント２３ａの上端縁部３８から中央部４１に流入し、中央部４１から下端縁部３９に流入する。加湿に利用されなかった残余の水は、第１加湿エレメント２３ａの下端縁部３９から下方に流出（滴下）する。
【００４７】
第２給水ヘッダ２４ｂは、第２加湿エレメント２３ｂの上端縁部３８に位置し、加湿エレメント２３ｂの両側縁部４９の間に延びている。第２給水ヘッダ２４ｂは、第２加湿エレメント２３ｂの上端縁部３８に固定手段によって着脱可能に固定され、第２加湿エレメント２３ｂの旋回に伴って第２回転軸４３ｂを中心に水平方向へ旋回する。
【００４８】
第２給水ヘッダ２４ｂは、水平方向へ並ぶ複数の給水孔（図示せず）を有し、それら給水孔から第２加湿エレメント２３ｂの両側縁部４０ａ，４０ｂの間に延びる上端縁部３８全域に所定量の水を満遍なく給水する。第２給水ヘッダ２４ｂから第２加湿エレメント２３ｂの上端縁部３８に給水された水は、加湿エレメント２３ｂの上端縁部３８から中央部４１に流入し、中央部４１から下端縁部４０に流入する。加湿に利用されなかった残余の水は、第２加湿エレメント２３ｂの下端縁部３９から下方に流出（滴下）する。
【００４９】
給水分配ヘッダ２５は、ハウジング２２の内部に着脱可能に設置され、第１および第２給水ヘッダ２４ａ，２４ｂの上方（直上）に位置し、水平方向へ直状に延びている。給水分配ヘッダ２５は、それから延びる給水管４４（給水ホース）が第１および第２給水ヘッダ２４ａ，２４ｂに接続され、給水管４４を介して第１および第２給水ヘッダ２４ａ，２４ｂに所定量の水を分配する。給水分配ヘッダ２５の基端部は、水道配管に連結されている。給水分配ヘッダ２５には電磁弁４５が設置されている。
【００５０】
電磁弁４５は、給水分配ヘッダ２５の給水路を開閉し、給水路を開放することで、給水分配ヘッダ２５に水を通流させ、給水路を閉鎖することで、給水分配ヘッダ２５における水の通流を停止させる。電磁弁４５は、その制御部がコントローラ２９に接続されている。ドレンパン２６は、第１および第２加湿エレメント２３ａ，２３ｂの下方（直下）に配置され、第１および第２加湿エレメント２３ａ，２３ｂの下端縁部３９から流出（滴下）する水を捕集し、水を排水溝に排水する。
【００５１】
モーター２７（駆動機構）は、第１回転軸４３ａの上方に設置され、第１加湿エレメント２３ａの側縁部４０ｂに設置された第１回転軸４３ａを回転させるとともに、ギヤ（図示せず）を介して第２加湿エレメント２３ｂの側縁部４０ａに設置された第２回転軸４３ｂを回転させる。モーター２７は、その制御部がコントローラ２９に接続されている。モーター２７の回転軸は、コントローラ２９からの回転信号によって時計回り方向または反時計回り方向へ回転してその回転力を各回転軸４３ａ，４３ｂに伝達し、コントローラ２９からの回転停止信号によって回転を停止する。図１では、１つのモーター２７が設置されており、モーター２７の回転軸の回転によって第１回転軸４３ａと第２回転軸４３ｂとが同期して回転する。なお、２つのモーター２７を第１および第２回転軸４３ａ，４３ｂの上方に設置することによってそれらモーター２７の回転軸の回転により、第１回転軸４３ａと第２回転軸４３ｂとを非同期に回転させることができる。
【００５２】
湿度センサ２８は、データセンター１１の空調室１２に設置され、コントローラ２９に接続されている。湿度センサ２８は、空調室１２の湿度を測定し、測定した測定湿度をコントローラ２９に送信する。コントローラ２９は、マイクロコンピュータを内蔵し、図示はしていないが、テンキーユニットやタッチパネル、ディスプレイ等の入出力装置が接続されている。コントローラ２９の記憶領域には、データセンター１１の空調室１２の目標湿度および目標温度が記憶されている。目標湿度や目標温度は、入出力装置によって任意に設定することができる。
【００５３】
空気調和機１８は、床置き型であり、機械室１３の床２０に設置されている。空気調和機１８は、冷温水コイル４７と、冷温水コイル４７の下流側に設置された送風ファン４８とを備えている。冷温水コイル４７や送風ファン４８は、ハウジング４９に収容されている。送風ファン４８は、インバータ制御によってその送風能力（出力）が調節される。
【００５４】
空気調和機１８のハウジング４９には、気化式加湿装置１０Ａから給気された加湿空気または非加湿空気を吸気する吸気口５０が開口している。吸気口５０には、ハウジング２２の空気流出口３４から延びる接続ダクト３５が接続されている。ハウジング４９の前方底部には、給気ダクト５１が接続されている。給気ダクト５１は、ハウジング４９の前方底部から空調室１２の床下空間１５に向かって延出し、その先端部が仕切壁１４を貫通して空調室１２の床下空間１５に位置している。
【００５５】
空気調和機１８は、温度の低い外気を加湿空気（加湿冷風）または非加湿空気（非加湿冷風）として空調室１２のコールドアイルに給気し、または、空調室１２から還流した還気（温風）と温度の低い外気との混合気を所定温度の加湿空気（加湿冷風）または非加湿空気（非加湿冷風）として空調室１２のコールドアイルに給気する外気冷房を行う。また、空気調和機１８は、空調室１２から還流した還気（温風）を冷却して空調された所定温度の加湿空気（加湿冷風）または非加湿空気（非加湿冷風）作り、その加湿空気またはその非加湿空気を空調室１２のコールドアイルに給気する循環冷房を行う。
【００５６】
空調室１２には温度センサ５２が設置され、その温度センサ５２がコントローラ２９に接続されている。温度センサ５２は、空調室１２の温度を測定し、測定した測定温度をコントローラ２９に送信する。コントローラ２９は、温度センサ５２から送信された測定温度とあらかじめ設定された目標温度とを比較し、測定温度が目標温度になるように冷温水コイル４７に流れる冷温水の流量を制御し、空調室１２の温度を目標温度に保持する。
【００５７】
図４は、加湿運転の一例を示す気化式加湿装置１０Ａの上面図であり、図５は、一部加湿運転の一例を示す気化式加湿装置１０Ａの上面図である。図６は、非加湿運転の一例を示す気化式加湿装置１０Ａの上面図であり、図７は、外気のみをサーバの冷却に利用する場合のデータセンター１１における外気（空気）の流れの一例を示す図である。図８は、外気と還気との混合気をサーバの冷却に利用する場合のデータセンター１１における混合気（空気）の流れの一例を示す図である。
【００５８】
図４〜図６は、気化式加湿装置１０Ａのハウジング２２や第１および第２給水ヘッダ２４ａ，２４ｂ、給水分配ヘッダ２５の図示を省略している。図７，８は、コントローラ２９や給水管４４、電磁弁４５の図示を省略している。データセンター１１の空調室１２では、外気または外気と還気との混合気をサーバの冷却に利用する外気冷房を行う場合があり、または、還気をサーバの冷却に利用する循環冷房を行う場合がある。
【００５９】
外気冷房では、温度および湿度が低い外気またはその外気の一部をサーバの冷却に利用する。外気冷房は、外気をサーバの冷却に利用するから、空気調和機１８の冷温水コイル４７における冷温水の流れを停止させ、または、冷温水コイル４７を低流量で運転することができ、空気調和機１８を含むデータセンター１１の消費電力が低下し、省エネを図ることができる。ただし、湿度の低い外気を利用するため、空調室１２の湿度が低下する場合がある。空調室１２の湿度が低下すると、空調室１２に静電気が発生し易くなり、静電気がサーバの故障の原因になる場合がある。
【００６０】
外気冷房において加湿空気または非加湿空気が外気のみから作られ、外気がサーバの冷却に利用される場合、空調室１２の天井空間１６に作られた温風排気流路と機械室１３の壁に作られた外気取り入れ流路とが開放される。外気冷房において加湿空気または非加湿空気が空調室１２から機械室１３に還流した還気（温風）と外気との混合気から作られ、混合気がサーバの冷却に利用される場合、空調室１２の天井空間１６に作られた温風排気流路と機械室１３の壁に作られた外気取り入れ流路とが開放される。外気冷房では、空気調和機１８において外気を冷却することなく、外気をそのまま加湿空気または非加湿空気として空調室１２に給気する場合、または、混合気を所定温度の加湿空気または所定温度の非加湿空気として空調室１２に給気する場合がある。
【００６１】
循環冷房は、主に気温や湿度の高い時期に行われ、外気を利用することなく空調室１２から機械室１３に還流した還気（温風）がサーバの冷却に利用される。循環冷房では、空調室１２の天井空間１６に作られた温風排気流路と機械室１３の壁に作られた外気取り入れ流路とが閉鎖される。循環冷房では、空気調和機１８において還気（温風）を冷却し、還気を加湿空気または非加湿空気にして空調室１２に給気する。なお、外気冷房または循環冷房において空調室１２の湿度が高いと、湿気によってサーバが故障する場合があり、データセンター１１では空調室１２の湿度が厳しく管理されている。
【００６２】
空気調和機１８において外気冷房を行う場合の気化式加湿装置１０Ａにおける運転の一例を説明すると、以下のとおりである。外気冷房を行う場合、気化式加湿装置１０Ａは、空気流路Ｌを閉鎖して空気を加湿する加湿運転と、空気流路Ｌを部分的に開放して空気の一部を加湿する一部加湿運転と、空気流路Ｌを開放（全開）して空気を加湿しない非加湿運転とのいずれかを実施する。コントローラ２９のスイッチをＯＮにすると、電源からモーター２７に電気が通電されるとともに、コントローラ２９に接続された入出力装置に運転画面（図示せず）が表示される。
【００６３】
運転画面には、運転開始ボタン、運転停止ボタンが表示される。運転停止ボタンをクリック（タップ）すると、コントローラ２９がＯＦＦになり、電磁弁４５が閉鎖される。コントローラ２９のスイッチをＯＮにすると同時に、空気調和機１８のスイッチをＯＮにして空気調和機１８を起動させる。なお、運転開始ボタンをクリックすると、コントローラ２９から空気調和機１８の制御部に起動信号が送信され、空気調和機１８の制御部がコントローラ２９から送信された起動信号によって空気調和機１８を起動させる場合もある。空気調和機１８が起動すると、送風ファン４８が起動するとともに、冷温水コイル４７に冷温水が流れる。
【００６４】
運転を開始する場合、運転開始ボタンをクリックする。なお、図４に示すように、第１および第２加湿エレメント２３ａ，２３ｂは、その空気流入面３６と空気流出面３７とが矢印Ｓで示す空気通流方向に直交し、空気流路Ｌが閉鎖された全閉状態に旋回している。運転開始ボタンをクリックすると、コントローラ２９は、湿度センサ２８に測定信号を送信する。湿度センサ２８は、データセンター１１の空調室１２の湿度測定を開始し、測定した測定湿度をコントローラ２９に送信する。コントローラ２９は、湿度センサ２８から送信された測定湿度と記憶領域に記憶した目標湿度とを比較し、その比較結果に基づいて加湿運転、非加湿運転、一部加湿運転とのいずれかを選択する。
【００６５】
たとえば、運転開始直後であって空調室１２が乾燥し、測定湿度が目標湿度を大きく下回っている場合、コントローラ２９は、加湿運転を選択する。加湿運転の実施中に測定湿度が目標湿度に次第に近づいているが、測定湿度が目標湿度を下回る場合、コントローラ２９は、一部加湿運転を選択する。また、加湿運転または一部加湿運転を実施中に測定湿度が目標湿度を大きく上回った場合、コントローラ２９は、非加湿運転を選択する。非加湿運転の実施中に測定湿度が目標湿度に次第に近づいているが、測定湿度が目標湿度を上回る場合、コントローラ２９は、一部加湿運転を選択する。非加湿運転の実施中に測定湿度が目標湿度を大きく下回った場合、コントローラ２９は、加湿運転を選択する。
【００６６】
外気冷房において加湿運転または一部加湿運転を選択した場合、コントローラ２９は、電磁弁４５の制御部に開信号を送信する。コントローラ２９は、加湿運転を選択した場合、加湿運転中メッセージ、運転停止ボタンを運転画面に表示し、一部加湿運転を選択した場合、一部加湿運転中メッセージ、運転停止ボタンを運転画面に表示する。
【００６７】
電磁弁４５の制御部は、コントローラ２９から送信された開信号によって弁機構を開放する。電磁弁４５の弁機構が開放されると、給水分配ヘッダ２５の給水路に水が通流し、給水分配ヘッダ２５から第１および第２給水ヘッダ２４ａ，２４ｂに所定量の水が流入する。第１および第２給水ヘッダ２４ａ，２４ｂに流入した水は、それら給水ヘッダ２４ａ，２４ｂの給水孔から第１および第２加湿エレメント２３ａ，２３ｂの上端縁部３８全域に給水され、加湿エレメント２４ａ，２４ｂの上端縁部３８から中央部４１に流入し、中央部４１から下端縁部３９に流入する。
【００６８】
外気冷房において加湿運転が選択された場合、第１および第２加湿エレメント２４ａ，２４ｂの空気流入面３６と空気流出面３７とが空気通流方向に直交する図４の全閉状態に保持される。空気調和機１８の送風ファン４８の起動によって、第１および第２加湿エレメント２３ａ，２３ｂの空気流入面３６から外気または混合気がそれら加湿エレメント２３ａ，２３ｂに流入し、水によって湿潤状態にあるそれら加湿エレメント２３ａ，２３ｂを外気または混合気が通流することで、外気または混合気が加湿され、加湿された加湿空気がそれら加湿エレメント２３ａ，２３ｂの空気流出面３７から流出する。
【００６９】
加湿空気は、接続ダクト３５を通って空気調和機１８に流入する。空気調和機１８に流入した加湿空気は、それが温度の低い外気のみを加湿した加湿空気である場合、冷温水コイル４７によって冷却されることなく、その加湿空気がハウジング４９の前方底部から延びる給気ダクト５１を通って空調室１２の床下空間１５に給気される。加湿空気が空調室１２から還流した還気（温風）と温度の低い外気との混合気である場合、その混合気が空気調和機１８を通過し、その混合気（加湿空気）がハウジング４９の前方底部から延びる給気ダクト５１を通って空調室１２の床下空間１５に給気される。
【００７０】
空気調和機１８から給気された加湿空気は、空調室１２の床２０に取り付けられた冷風吹出開口パネルからコールドアイルに流入し、コールドアイルからサーバラック１７に流入し、サーバラック１７を通流しつつラック１７に設置されたサーバを冷却するとともに、空調室１２の湿度を増加させる。サーバを冷却した加湿空気は、サーバの熱を吸収して温風に変わり、その温風がサーバラック１７から流出してホットアイルに流入する。
【００７１】
外気冷房において、加湿空気が外気のみから作られている場合、ホットアイルに流入した温風が温風吸込開口を通って空調室１２の天井空間１６に流入した後、温風が温風排気流路に流入して外部に排気される。外気取り入れ流路から機械室１３に流入した外気は、気化式加湿装置１０Ａによって加湿空気となり、その加湿空気が空気調和機１８から床下空間１５に給気されてコールドアイルに給気される。
【００７２】
外気冷房において、加湿空気が空調室１２から還流した還気（温風）と外気との混合気から作られている場合、ホットアイルに流入した温風が温風吸込開口を通って空調室１２の天井空間１６に流入した後、温風の一部が温風排気流路に流入して外部に排気され、残余の温風（還気）が温風還流流路を通って機械室１３に流入する。機械室１３に流入した還気（温風）と外気取り入れ流路から流入した外気とが混合されて混合気となり、その混合気が気化式加湿装置１０Ａによって加湿空気となり、その加湿空気が空気調和機１８を通過して床下空間１５に給気され、床下空間１５からコールドアイルに給気される。
【００７３】
外気冷房における加湿運転の実施中に測定湿度が目標湿度に次第に近づいているが、測定湿度が目標湿度を下回る場合、コントローラ２９は、一部加湿運転を選択する。コントローラ２９が一部加湿運転を選択した場合、加湿運転から一部加湿運転に切り替える。加湿運転から一部加湿運転への切り替えにおいてコントローラ２９は、モーター２７の制御部に回転信号を送信する。
【００７４】
モーター２７の制御部は、コントローラ２９から送信された回転信号によってモーター２７を起動させ、モーター２７の回転軸を時計回り方向へ回転させる。モーター２７の回転軸が時計回り方向へ回転すると、それによって第１回転軸４３ａが時計回り方向へ回転し、第１加湿エレメント２３ａが第１回転軸４３ａを中心に時計回り方向へ次第に旋回するとともに、ギヤによって第２回転軸４３ｂが第１回転軸４３ａと同期（連動）して反時計回り方向へ回転し、第２加湿エレメント２３ｂが第２回転軸４３ｂを中心に反時計回り方向へ次第に旋回する。
【００７５】
第１および第２加湿エレメント２３ａ，２３ｂは、図５に示すように、空気流路Ｌを一部開放した一部開放状態に所定角度旋回する。第１および第２給水ヘッダ２４ａ，２４ｂは、第１および第２加湿エレメント２３ａ，２３ｂの旋回に連動しつつ加湿エレメント２３ａ，２３ｂとともに旋回する。一部開放状態では、外気または混合気の一部が第１および第２加湿エレメント２３ａ，２３ｂの間の空気流路Ｌを通り、加湿されない非加湿空気が接続ダクト３５から空気調和機１８に流入するとともに、残余の外気または残余の混合気が第１および第２加湿エレメント２３ａ，２３ｂの空気流入面３６から加湿エレメント２３ａ，２３ｂに流入し、残余の外気または残余の混合気が加湿され、加湿された加湿空気が接続ダクト３５から空気調和機１８に流入する。
【００７６】
コントローラ２９は、湿度センサ２８から送信された測定湿度と記憶領域に記憶した目標湿度とを比較し、測定湿度が目標湿度になるように、第１および第２加湿エレメント２３ａ，２３ｂの旋回角度を調節する。従って、第１および第２加湿エレメント２３ａ，２３ｂの旋回角度が図５に示すそれよりも大きくなる場合、または、第１および第２加湿エレメント２３ａ，２３ｂの旋回角度が図５に示すそれよりも小さくなる場合がある。
【００７７】
コントローラ２９は、測定湿度が目標湿度になった場合、そのときの第１および第２加湿エレメント２３ａ，２３ｂの旋回角度を保持し、または、測定湿度が目標湿度に保持されるように、第１および第２加湿エレメント２３ａ，２３ｂの旋回角度を微調節する。気化式加湿装置１０Ａでは、湿度センサ２８によって空調室１２の湿度を測定し、測定湿度が設定湿度になるように加湿エレメント２３ａ，２３ｂの旋回角度を調節することで、フィードバック制御を実施しつつ空調室１２の湿度を精密な精度でコントロールすることができる。
【００７８】
なお、コントローラ２９の記憶領域に空調室１２の湿度と第１および第２加湿エレメント２３ａ，２３ｂの旋回角度との相関関係が記憶され、目標湿度が入力された場合、コントローラ２９が目標湿度を相関関係に当て嵌めて、第１および第２加湿エレメント２３ａ，２３ｂの旋回角度を割り出し、第１および第２加湿エレメント２３ａ，２３ｂを割り出した旋回角度に旋回させる場合もある。
【００７９】
水によって湿潤状態にある第１および第２加湿エレメント２３ａ，２３ｂを外気の一部または混合気の一部が通流することで、外気の一部または混合気の一部が加湿され、加湿された加湿空気（加湿空気と非加湿空気との混合気）が接続ダクト３５を通って空気調和機１８に流入し、ハウジング４９の前方底部から延びる給気ダクト５１を通って空調室１２の床下空間１５に給気され、床下空間１５からコールドアイルに給気される。加湿空気は、コールドアイルからサーバラック１７に流入し、サーバラック１７を通流しつつラック１７に設置されたサーバを冷却するとともに、空調室１２の湿度を増加させる。サーバを冷却した加湿空気は、サーバの熱を吸収して温風に変わり、その温風がサーバラック１７から流出してホットアイルに流入する。
【００８０】
外気冷房における加湿運転または一部加湿運転の実施中に測定湿度が目標湿度を上回り、コントローラ２９が非加湿運転を選択した場合、加湿運転または一部加湿運転から非加湿運転に切り替える。加湿運転または一部加湿運転から非加湿運転への切り替えにおいてコントローラ２９は、モーター２７の制御部に回転信号を送信するとともに、電磁弁４５の制御部に閉信号を送信し、非加湿運転中メッセージ、運転停止ボタンを運転画面に表示する。
【００８１】
モーター２７の制御部は、コントローラ２９から送信された回転信号によってモーター２７を起動させ、モーター２７の回転軸を時計回り方向へ回転させる。モーター２７の回転軸が時計回り方向へ回転すると、それによって第１回転軸４３ａが時計回り方向へ回転し、第１加湿エレメント２３ａが第１回転軸４３ａを中心に時計回り方向へ次第に旋回するとともに、ギヤによって第２回転軸４３ｂが第１回転軸４３ａと同期（連動）して反時計回り方向へ回転し、第２加湿エレメント２３ｂが第２回転軸４３ｂを中心に反時計回り方向へ次第に旋回する。
【００８２】
第１および第２加湿エレメント２３ａ，２３ｂは、空気流路Ｌを閉鎖した閉鎖状態（全閉状態）から９０度旋回し、または、空気流路Ｌを一部開放した一部開放状態から旋回し、空気流路Ｌを開放した開放状態（全開状態）に旋回する。第１および第２給水ヘッダ２４ａ，２４ｂは、第１および第２加湿エレメント２３ａ，２３ｂの旋回に連動しつつ加湿エレメント２３ａ，２３ｂとともに旋回する。開放状態（全開状態）では、図６に示すように、第１加湿エレメント２３ａの空気流入面３６と空気流出面３７とが空気通流方向（矢印Ｓで示す方向）に平行し、第２加湿エレメント２３ｂの空気流入面３６と空気流出面３７とが空気通流方向に平行する。さらに、第１および第２給水ヘッダ２４ａ，２４ｂが空気通流方向に平行する。
【００８３】
電磁弁４５の制御部は、コントローラ２９から送信された閉信号によって弁機構を閉鎖する。電磁弁４５の弁機構が閉鎖されると、給水分配ヘッダ２５への水の通流が停止し、給水分配ヘッダ２５から第１および第２給水ヘッダ２４ａ，２４ｂへの水の流入が停止するとともに、第１および第２給水ヘッダ２４ａ，２４ｂから第１および第２加湿エレメント２３ａ，２３ｂへの水の給水が停止する。空気調和機１８の送風ファン４８によって強制的に給気される外気または混合気は、第１および第２加湿エレメント２３ａ，２３ｂを通流することなく第１および第２加湿エレメント２３ａ，２３ｂの間の開放された空気流路Ｌを通り、加湿されない非加湿空気として接続ダクト３５から空気調和機１８に流入する。
【００８４】
空気調和機１８に流入した非加湿空気は、それが温度の低い外気のみの非加湿空気である場合、冷温水コイル４７によって冷却されることなく、その非加湿空気がハウジング４９の前方底部から延びる給気ダクト５１を通って空調室１２の床下空間１５に給気され、床下空間１５からコールドアイルに給気される。非加湿空気が空調室１２から還流した温風と温度の低い外気との混合気である場合、その混合気が空気調和機１８に流入し、その混合空気（非加湿空気）がハウジング４９の前方底部から延びる給気ダクト５１を通って空調室１２の床下空間１５に給気され、床下空間１５からコールドアイルに給気される。
【００８５】
空気調和機１８から給気された所定温度の非加湿空気は、空調室１２の床２０に取り付けられた冷風吹出開口パネルからコールドアイルに流入し、コールドアイルからサーバラック１７に流入し、サーバラック１７を通流しつつラック１７に設置されたサーバを冷却するとともに、空調室１２の湿度を低下させる。サーバを冷却した非加湿空気は、サーバの熱を吸収して温風に変わり、その温風がサーバラック１７から流出してホットアイルに流入する。
【００８６】
外気冷房において、非加湿空気が外気のみから作られている場合、ホットアイルに流入した温風が温風吸込開口を通って空調室１２の天井空間１６に流入した後、温風が温風排気流路に流入して外部に排気される。外気取り入れ流路から機械室１３に流入した外気は、気化式加湿装置１０Ａから空気調和機１８を通り、非加湿空気として床下空間１５からコールドアイルに給気される。
【００８７】
外気冷房において、非加湿空気が空調室１２から還流した還気（温風）と外気との混合気から作られている場合、ホットアイルに流入した温風が温風吸込開口を通って空調室１２の天井空間１６に流入した後、温風の一部が温風排気流路に流入して外部に排気され、残余の温風（還気）が温風還流流路を通って機械室１３に流入する。機械室１３に流入した還気（温風）と外気取り入れ流路から流入した外気とが混合されて混合気となり、その混合気（非加湿空気）が気化式加湿装置１０Ａから空気調和機１８を通過して床下空間１５からコールドアイルに給気される。
【００８８】
外気冷房における非加湿運転の実施中に測定湿度が目標湿度を下回り、コントローラ２９が加湿運転または一部加湿運転を選択した場合、非加湿運転から加湿運転または一部加湿運転に切り替える。非加湿運転から加湿運転または一部加湿運転への切り替えにおいてコントローラ２９は、モーター２７の制御部に回転信号を送信するとともに、電磁弁４５の制御部に開信号を送信する。
【００８９】
モーター２７の制御部は、コントローラ２９から送信された回転信号によってモーター２７を起動させ、モーター２７の回転軸を反時計回り方向へ回転させる。モーター２７の回転軸が反時計回り方向へ回転すると、それによって第１回転軸４３ａが反時計回り方向へ回転し、第１加湿エレメント２３ａが第１回転軸４３ａを中心に反時計回り方向へ次第に旋回するとともに、ギヤによって第２回転軸４３ｂが第１回転軸４３ａと同期（連動）して時計回り方向へ回転し、第２加湿エレメント２３ｂが第２回転軸４３ｂを中心に時計回り方向へ次第に旋回する。
【００９０】
第１および第２加湿エレメント２３ａ，２３ｂは、空気流路Ｌを開放した開放状態（全開状態）から所定角度旋回し、空気流路Ｌを一部開放した一部開放状態に旋回し、または、空気流路Ｌを開放した開放状態（全開状態）から９０度旋回し、空気流路Ｌを閉鎖した閉鎖状態（全閉状態）に旋回する。第１および第２給水ヘッダ２４ａ，２４ｂは、第１および第２加湿エレメントの２３ａ，２３ｂ旋回に連動しつつ加湿エレメント２３ａ，２３ｂとともに旋回する。
【００９１】
電磁弁４５の制御部は、コントローラ２９から送信された開信号によって弁機構を開放する。給水分配ヘッダ２５の給水路に水が通流し、給水分配ヘッダ２５から第１および第２給水ヘッダ２４ａ，２４ｂに所定量の水が流入し、給水ヘッダ２４ａ，２４ｂからそれら加湿エレメント２３ａ，２３ｂに水が給水される。水によって湿潤状態にあるそれら加湿エレメント２３ａ，２３ｂを外気または混合気が通流することで、外気または混合気が加湿され、加湿された加湿空気が接続ダクト３５を通って空気調和機１８に流入し、その加湿空気がハウジング４９の前方底部から延びる給気ダクト５１を通って空調室１２の床下空間１５に給気され、床下空間１５からコールドアイルに給気される。サーバを冷却した加湿空気は、サーバの熱を吸収して温風に変わり、その温風がサーバラック１７から流出してホットアイルに流入する。
【００９２】
図９は、従来技術で示した一般的に利用されている気化式加湿装置を使用し、外気冷房における加湿運転や非加湿運転を行った場合の時間経過による空調室１２の湿度変化の一例を示す図であり、図１０は、気化式加湿装置１０Ａ（気化式加湿装置１０Ｂ〜１０Ｄを含む）によって外気冷房における加湿運転や一部加湿運転、非加湿運転を行った場合の時間経過による空調室１２の湿度変化の一例を示す図である。
【００９３】
従来技術で示した一般的に利用されている気化式加湿装置では、外気冷房において加湿運転から非加湿運転に切り替わった後、加湿エレメントが水で濡れた湿潤状態にあり、空気の給気を継続して加湿エレメントが乾燥するまでに所定の時間を要し、加湿エレメントが乾燥するまでの間に加湿された加湿空気が空調室１２（被加湿空間）に給気されるから、図９に示すように、空調室１２の湿度が大きく増加し、非加湿運転時の空調室１２の湿度が目標湿度よりも高くなり、空調室１２の湿度が目標湿度になるまでに時間を要し、加湿運転から非加湿運転へ切り替えた後、空調室の湿度を速やかに目標湿度にすることができない。
【００９４】
それに比較して気化式加湿装置１０Ａ（気化式加湿装置１０Ｂ〜１０Ｄを含む）では、外気冷房において加湿運転または一部加湿運転から空気を加湿しない非加湿運転への切り替え時に、第１および第２加湿エレメント２３ａ，２３ｂの空気流入面３６と空気流出面３７とが空気通流方向に平行するように、第１および第２回転軸４３ａ，４３ｂを中心に第１および第２加湿エレメント２３ａ，２３ｂを旋回させて空気流路Ｌを開放（全開状態）するから、外気や混合空気、還気がそれら加湿エレメント２３ａ，２３ｂを通流することはなく、それら加湿エレメント２３ａ，２３ｂに残存する水への外気や混合空気、還気（空気）の接触を最小限にすることができ、空調室１２への加湿空気の給気を最小限にすることができる。従って、図１０に示すように、空調室１２（被加湿空間）の湿度変化が小さく、加湿運転または一部加湿運転から非加湿運転へ切り替えた後、空調室１２の湿度を速やかに目標湿度にすることができる。
【００９５】
図１１は、還気をサーバの冷却に利用する場合のデータセンター１１における還気（空気）の流れの一例を示す図である。空気調和機１８において循環冷房を行う場合の気化式加湿装置１０Ａにおける運転の一例を説明すると、以下のとおりである。循環冷房を行う場合、気化式加湿装置１０Ａは、外気冷房と同様に、空気流路Ｌを閉鎖して空気を加湿する加湿運転と、空気流路Ｌを部分的に開放して空気の一部を加湿する一部加湿運転と、空気流路Ｌを開放して空気を加湿しない非加湿運転とのいずれかを実施する。
【００９６】
空気調和機１８のスイッチをＯＮにして空気調和機１８を起動させ、運転画面の運転開始ボタンをクリックする。運転開始ボタンをクリックすると、湿度センサ２８がデータセンター１１の空調室１２の湿度測定を開始し、測定した測定湿度が湿度センサ２８からコントローラ２９に送信され、コントローラ２９が測定湿度と目標湿度との比較結果に基づいて加湿運転、非加湿運転、一部加湿運転とのいずれかを選択する。
【００９７】
循環冷房において加湿運転または一部加湿運転を選択した場合、コントローラ２９が電磁弁４５の制御部に開信号を送信し、電磁弁４５の制御部がその開信号によって弁機構を開放する。電磁弁４５の弁機構が開放されることで、給水分配ヘッダ２５の給水路が開放され、給水分配ヘッダ２５に水が通流し、給水分配ヘッダ２５から第１および第２給水ヘッダ２４ａ，２４ｂに所定量の水が流入するとともに、給水ヘッダ２４ａ，２４ｂから第１および第２加湿エレメント２３ａ，２３ｂに水が給水される。
【００９８】
循環冷房において加湿運転が選択された場合、第１および第２加湿エレメント２３ａ，２３ｂの空気流入面３６と空気流出面３７とが空気通流方向（矢印Ｓの方向）に直交する図４の全閉状態に保持され、第１および第２加湿エレメント２３ａ，２３ｂの空気流入面３６から還気がそれら加湿エレメント２３ａ，２３ｂに流入し、水によって湿潤状態にあるそれら加湿エレメント２３ａ，２３ｂを還気が通流することで、還気が加湿され、加湿された加湿空気がそれら加湿エレメント２３ａ，２３ｂの空気流出面３７から流出し、空気調和機１８に流入する。
【００９９】
加湿空気は空気調和機１８の冷温水コイル４７によって冷却されて所定温度の加湿空気となり、その加湿空気がハウジング４９の前方底部から延びる給気ダクト５１を通って空調室１２の床下空間１５に給気され、床下空間１５からコールドアイルに給気される。加湿空気は、サーバを冷却するとともに、空調室１２の湿度を増加させ、サーバの熱を吸収して温風に変わった後、サーバラック１７からホットアイルに流入する。ホットアイルに流入した温風は、温風吸込流路を通って空調室１２の天井空間１６に流入した後、温風還流流路を通って機械室１３に流入（還流）する。機械室１３に流入した還気（温風）が気化式加湿装置１０Ａによって加湿空気となり、その加湿空気が空気調和機１８の冷温水コイル４７によって冷却されて所定温度の加湿空気となり、その加湿空気が床下空間１５に給気されてコールドアイルに再び給気される。
【０１００】
循環冷房における加湿運転の実施中に測定湿度が目標湿度に次第に近づき、コントローラ２９が一部加湿運転を選択した場合、加湿運転から一部加湿運転に切り替える。加湿運転から一部加湿運転への切り替えでは、外気冷房と同様に、コントローラ２９から送信された回転信号によってモーター２７の回転軸が時計回り方向へ回転し、第１および第２加湿エレメント２３ａ，２３ｂが第１および第２回転軸４３ａ，４３ｂを中心に所定角度旋回し、図５に示すように、それら加湿エレメント２３ａ，２３ｂが空気流路Ｌを一部開放した一部開放状態に旋回する。一部開放状態では、還気の一部が第１および第２加湿エレメント２３ａ，２３ｂの間の開放された空気流路Ｌを通り、加湿されない非加湿空気が接続ダクト３５から空気調和機１８に流入するとともに、残余の還気が第１および第２加湿エレメント２３ａ，２３ｂの空気流入面３６から加湿エレメント２３ａ，２３ｂに流入し、残余の還気が加湿され、加湿された加湿空気が接続ダクト３５から空気調和機１８に流入する。
【０１０１】
コントローラ２９は、湿度センサ２８から送信された測定湿度と目標湿度との差に応じて第１および第２加湿エレメント２３ａ，２３ｂの旋回角度を調節し、測定湿度を目標湿度に保持する。加湿空気は冷温水コイル４７によって冷却されて所定温度の加湿空気となり、その加湿空気がハウジング４９の前方底部から延びる給気ダクト５１を通って空調室１２の床下空間１５に給気され、床下空間１５からコールドアイルに給気される。加湿空気は、サーバを冷却するとともに、空調室１２の湿度を増加させ、サーバの熱を吸収して温風に変わった後、サーバラック１７からホットアイルに流入する。
【０１０２】
循環冷房における加湿運転または一部加湿運転の実施中に測定湿度が目標湿度を上回り、コントローラ２９が非加湿運転を選択した場合、加湿運転または一部加湿運転から非加湿運転に切り替える。加湿運転または一部加湿運転から非加湿運転への切り替えでは、外気冷房と同様に、コントローラ２９から送信された回転信号によってモーター２７の回転軸が時計回り方向へ回転し、第１および第２加湿エレメント２３ａ，２３ｂが第１および第２回転軸４３ａ，４３ｂを中心に旋回し、図６に示すように、空気流路Ｌを開放した開放状態（全開状態）に旋回する。さらに、コントローラ２９から送信された閉信号によって電磁弁４５の制御部が弁機構を閉鎖し、第１および第２給水ヘッダ２４ａ，２４ｂから第１および第２加湿エレメント２３ａ，２３ｂへの水の給水が停止する。
【０１０３】
循環冷房において非加湿運転が選択された場合、還気が第１および第２加湿エレメント２３ａ，２３ｂの間の開放された空気流路Ｌを通り、加湿されない非加湿空気として接続ダクト３５から空気調和機１８に流入する。非加湿空気は空気調和機１８の冷温水コイル４７によって冷却されて所定温度の非加湿空気となり、その非加湿空気がハウジング４９の前方底部から延びる給気ダクト５１を通って空調室１２の床下空間１５に給気され、床下空間１５からコールドアイルに給気される。非加湿空気は、サーバを冷却するとともに、空調室１２の湿度を低下させ、サーバの熱を吸収して温風に変わった後、サーバラック１７からホットアイルに流入する。
【０１０４】
循環冷房における非加湿運転の実施中に測定湿度が目標湿度を下回り、コントローラ２９が加湿運転または一部加湿運転を選択した場合、非加湿運転から加湿運転または一部加湿運転に切り替える。非加湿運転から加湿運転または一部加湿運転への切り替えでは、外気冷房と同様に、コントローラ２９から送信された回転信号によってモーター２７の回転軸が時計回り方向へ回転し、第１および第２加湿エレメント２３ａ，２３ｂが第１および第２回転軸４３ａ，４３ｂを中心に旋回し、図４に示すように、空気流路Ｌを一部開放した一部開放状態に旋回し、または、空気流路Ｌを閉鎖した閉鎖状態（全閉状態）に旋回する。
【０１０５】
コントローラ２９から送信された開信号によって電磁弁４５の制御部が弁機構を開放し、第１および第２給水ヘッダ２４ａ，２４ｂから第１および第２加湿エレメント２３ａ，２３ｂへの水の給水が開始される。それら加湿エレメント２３ａ，２３ｂによって還気が加湿され、加湿された加湿空気が接続ダクト３５を通って空気調和機１８に流入し、空気調和機１８によって冷却されて所定温度の加湿空気となり、その加湿空気がハウジング４９の前方底部から延びる給気ダクト５１を通って空調室１２の床下空間１５に給気され、床下空間１５からコールドアイルに給気される。サーバを冷却した加湿空気は、サーバの熱を吸収して温風に変わり、その温風がサーバラック１７から流出してホットアイルに流入する。
【０１０６】
図１２は、従来技術で示した一般的に利用されている気化式加湿装置を使用し、外気冷房および循環冷房における加湿運転および非加湿運転を行った場合の時間経過による空調室１２の湿度変化の他の一例を示す図であり、図１３は、気化式加湿装置１０Ａ（気化式加湿装置１０Ｂ〜１０Ｄを含む）によって外気冷房および循環冷房における加湿運転や一部加湿運転、非加湿運転を行った場合の時間経過による空調室１２の湿度変化の一例を示す図である。図１２，１３は外気冷房から循環冷房に切り替えた場合における湿度変化を示す。
【０１０７】
従来技術で示した一般的に利用されている気化式加湿装置では、外気冷房において加湿運転から非加湿運転に切り替わった後、加湿エレメントが水で濡れた湿潤状態にあり、空気の給気を継続して加湿エレメントが乾燥するまでに所定の時間を要し、加湿エレメントが乾燥するまでの間に加湿された加湿空気が空調室１２（被加湿空間）に給気されるから、図１２に示すように、空調室１２の湿度が大きく増加し、非加湿運転時の空調室１２の湿度が目標湿度よりも高くなり、空調室１２の湿度が目標湿度になるまでに時間を要し、加湿運転から非加湿運転へ切り替えた後、空調室１２の湿度を速やかに目標湿度にすることができない。さらに、外気冷房から循環冷房に切り替わり、加湿運転から非加湿運転に切り替わった後、加湿エレメントが乾燥するまでの間に加湿された加湿空気が空調室１２（被加湿空間）と機械室１３とを循環するから、図１２に示すように、空調室１２の湿度が大幅に増加し、湿度が増加した状態が継続され、空調室１２の湿度を速やかに目標湿度にすることができない。
【０１０８】
それに比較して気化式加湿装置１０Ａ（気化式加湿装置１０Ｂ〜１０Ｄを含む）では、加湿運転または一部加湿運転から空気を加湿しない非加湿運転への切り替え時、または、外気冷房から循環冷房への切り替え時であって、加湿運転または一部加湿運転から非加湿運転への切り替え時に、第１および第２加湿エレメント２３ａ，２３ｂの空気流入面３６と空気流出面３７とが空気通流方向に平行するように、第１および第２回転軸４３ａ，４３ｂを中心に第１および第２加湿エレメント２３ａ，２３ｂを旋回させて空気流路Ｌを開放するから、外気や混合空気、還気がそれら加湿エレメント２３ａ，２３ｂを通流することはなく、それら加湿エレメント２３ａ，２３ｂに残存する水への還気（空気）の接触を最小限にすることができ、空調室１２への加湿空気の給気を最小限にすることができる。従って、図１３に示すように、空調室１２（被加湿空間）の湿度変化が小さく、加湿運転または一部加湿運転から非加湿運転へ切り替えた後、空調室１２の湿度を速やかに目標湿度にすることができる。
【０１０９】
可動型の気化式加湿装置１０Ａは、非加湿運転から加湿運転への切り替え時に空気流入面３６と空気流出面３７とが空気通流方向に直交するように、第１および第２加湿エレメント２３ａ，２３ｂを旋回させて空気流路Ｌを閉鎖し、または、非加湿運転から一部加湿運転への切り替え時に空気流入面３６と空気流出面３７とが空気通流方向に対して所定角度で傾斜するように、第１および第２加湿エレメント２３ａ，２３ｂを旋回させるから、非加湿運転から加湿運転または一部加湿運転へ速やかに切り替えることができ、直ちに加湿運転または一部加湿運転を行うことができるとともに、空調室１２（被加湿空間）の湿度を速やかに目標湿度にすることができる。
【０１１０】
可動型の気化式加湿装置１０Ａは、加湿運転または一部加湿運転から非加湿運転への切り替え時に空気流入面３６と空気流出面３７とが空気通流方向に平行するように、第１および第２加湿エレメント２３ａ，２３ｂを旋回させて空気流路Ｌを開放するから、加湿運転または一部加湿運転から非加湿運転へ速やかに切り替えることができ、直ちに非加湿運転を行うことができるとともに、空調室１２（被加湿空間）の湿度を速やかに目標湿度にすることができる。
【０１１１】
可動型の気化式加湿装置１０Ａは、一部加湿運転において空気の加湿割合に応じて第１および第２加湿エレメント２３ａ，２３ｂが所定の旋回角度に旋回し、空気流路Ｌの開放割合を調節するから、それら加湿エレメント２３ａ，２３ｂの旋回角度によって加湿エレメント２３ａ，２３ｂを通流する外気や混合気、還気の割合を調節することができ、空調室１２（被加湿空間）の湿度を精密な精度でコントロールすることができ、空調室１２の目標湿度が厳格に設定されていたとしても、空調室１２の湿度をその目標湿度にすることができる。
【０１１２】
可動型の気化式加湿装置１０Ａは、それが空気調和機１８の外側に連結されることで、空気調和機１８によって作られた空調空気を加湿することができ、空気調和機１８が湿度調節機能を備えていない場合であっても、空気調和機１８に湿度調節機能を付加することができ、空気調和機１８において加湿運転や非加湿運転を実施することができる。
【０１１３】
図１４は、他の一例として示す気化式加湿装置１０Ｂの正面図であり、図１５は、加湿運転時の気化式加湿装置１０Ｂの上面図である。図１６は、一部加湿運転時の気化式加湿装置１０Ｂの上面図であり、図１７は、非加湿運転時の気化式加湿装置１０Ｂの上面図である。図１５〜図１７は、気化式加湿装置１０Ｂのハウジング２２や給水ヘッダ２４、給水分配ヘッダ２５の図示を省略している。
【０１１４】
この気化式加湿装置１０Ｂが図１のそれと異なるところは、加湿エレメント２３が１つのそれから形成されている点にある。気化式加湿装置１０Ｂのその他の構成は、図１の気化式加湿装置１０Ａのそれらと同一であるから、気化式加湿装置１０Ａと同一の符号を付すとともに、気化式加湿装置１０Ａの説明を援用することで、気化式加湿装置１０Ｂにおけるその他の構成の詳細な説明は省略する。
【０１１５】
気化式加湿装置１０Ｂは、ハウジング２２および加湿エレメント２３と、給水ヘッダ２４および給水分配ヘッダ２５と、ドレンパン２６およびモーター２７（駆動機構）と、湿度センサ２８およびコントローラ２９（制御装置）とを備えている。ハウジング２２や給水ヘッダ２４、給水分配ヘッダ２５、ドレンパン２６、モーター２７（駆動機構）、湿度センサ２８、コントローラ２９は図１の気化式加湿装置１０Ａのそれらと同一である。
【０１１６】
加湿エレメント２３は、ハウジング２２の空気流路Ｌ（ハウジング２２の加湿スペース）に着脱可能に設置されている。加湿エレメント２３は、ハウジング２２の空気流入口３３に対向する所定面積の空気流入面３６と、空気流入面３６の反対側（空気調和機１８の側）に位置する所定面積の空気流出面３７とを有し、所定の厚み寸法を有する。加湿エレメント２３は、水平方向へ延びる上端縁部３８および下端縁部３９と、垂直方向へ延びる両側縁部４０ａ，４０ｂと、それら縁部３８〜４０ａ，４０ｂの間に位置する中央部４１とを有する。加湿エレメント２３の上下端縁部３８，３９および両側縁部４０ａ，４０ｂには、金属製または合成樹脂製の支持フレーム４２が取り付けられている。
【０１１７】
加湿エレメント２３の側縁部４０ａには、垂直方向へ延びる回転軸４３が設置されている。回転軸４３は、ハウジング２２に設置された軸受けに回転可能に挿通され、加湿エレメント２３の側縁部４０ａに取り付けられた支持フレーム４２に連結されている。加湿エレメント２３は、回転軸４３を中心に水平方向へ旋回し、空気流路Ｌを開閉する。
【０１１８】
加湿エレメント２３は、空気流路Ｌを閉鎖した閉鎖状態（全閉状態）と空気流路Ｌを開放した開放状態（全開状態）との間で９０度旋回する。加湿エレメント２３は、水（水道水）が給水されると湿潤状態に保持され、空気流入面３６に給気された空気を加湿して加湿空気を作り、その加湿空気を空気流出面３７から流出させて空気調和機１８に給気する。
【０１１９】
なお、垂直方向へ延びる回転軸４３が加湿エレメント２３の両側縁部４０ａ，４０ｂの間の中央に設置されていてもよい。この場合、回転軸４３を中心に加湿エレメント２３が水平方向に二分され、回転軸４３の回転によって水平方向に二分された加湿エレメント２３の一方領域が旋回するとともに、他方領域が一方領域とは反対の方向へ旋回する。
【０１２０】
気化式加湿装置１０Ｂは、図１の気化式加湿装置１０Ａと同様に、コントローラ２９が湿度センサ２８から送信された測定湿度と記憶領域に記憶した目標湿度とを比較し、その比較結果に基づいて加湿運転、非加湿運転、一部加湿運転のいずれかを選択し、選択した加湿運転、非加湿運転、一部加湿運転のいずれかを実施する。加湿運転における気化式加湿装置１０Ｂでは、図１５に示すように、加湿エレメント２３の空気流入面３６と空気流出面３７とが空気通流方向に直交するように、加湿エレメント２３が回転軸４３を中心に空気流路Ｌを閉鎖した全閉状態に旋回する。
【０１２１】
一部加湿運転における気化式加湿装置１０Ｂでは、図１６に示すように、回転軸４３が反時計回り方向へ回転し、加湿エレメント２３の空気流入面３６と空気流出面３７とが空気通流方向に対して所定角度で傾斜するように、加湿エレメント２３が回転軸４３を中心に空気流路Ｌを一部開放した一部開放状態に所定角度旋回する。非加湿運転における気化式加湿装置１０Ｂでは、図１７に示すように、回転軸４３が反時計回り方向へ回転し、加湿エレメント２３の空気流入面３６と空気流出面３７とが空気通流方向に平行するように、加湿エレメント２３が回転軸４３を中心に空気流路Ｌを開放した全開状態に旋回する。気化式加湿装置１０Ｂでは、非加湿運転から一部加湿運転または加湿運転に切り替わる場合、非加湿運転の状態から回転軸４３が時計回り方向へ回転する。なお、この気化式加湿装置１０Ｂは、図１の気化式加湿装置１０Ａと同一の効果を有する。
【０１２２】
図１８は、他の一例として示す気化式加湿装置１０Ｃの正面図であり、図１９は、加湿運転時の気化式加湿装置１０Ｃの上面図である。図２０は、一部加湿運転時の気化式加湿装置１０Ｃの上面図であり、図２１は、非加湿運転時の気化式加湿装置１０Ｃの上面図である。図１９〜図２１は、気化式加湿装置１０Ｃのハウジング２２や第１および第２給水ヘッダ２４ａ，２４ｂ、給水分配ヘッダ２５の図示を省略している。
【０１２３】
この気化式加湿装置１０Ｃが図１のそれと異なるところは、第１回転軸４３ａが第１加湿エレメント２３ａの側縁部４０ａに設置されている点、第１加湿エレメント２３ａと第２加湿エレメント２３ｂとが連結ロッド５３によって連結され、第１加湿エレメント２３ａの旋回が連結ロッド５３を利用して行われる点、モーター２７（駆動機構）が第２回転軸４３ｂの上方に設置されている点にある。
【０１２４】
気化式加湿装置１０Ｃのその他の構成は、図１の気化式加湿装置１０Ａのそれらと同一であるから、気化式加湿装置１０Ａと同一の符号を付すとともに、気化式加湿装置１０Ａの説明を援用することで、気化式加湿装置１０Ｃにおけるその他の構成の詳細な説明は省略する。なお、気化式加湿装置１０Ｃのハウジング２２や第１および第２加湿エレメント２３ａ，２３ｂ、第１および第２給水ヘッダ２４ａ，２４ｂ、給水分配ヘッダ２５、ドレンパン２６、モーター２７（駆動機構）、湿度センサ２８、コントローラ２９は図１の気化式加湿装置１０Ａのそれらと同一である。
【０１２５】
第１回転軸４３ａは、第１加湿エレメント２３ａの側縁部４０ａに設置され、ハウジング２２に設置された軸受け（図示せず）に回転可能に挿通されているとともに、第１加湿エレメント２３ａの側縁部４０ａに取り付けられた支持フレーム４２に連結されている。第１加湿エレメント２３ａは、第１回転軸４３ａを中心に水平方向へ９０度旋回し、空気流路Ｌを開閉する。
【０１２６】
第２回転軸４３ｂは、第２加湿エレメント２３ｂの側縁部４０ａ（第１回転軸４３ａが取り付けられた第１加湿エレメント２３ａの側縁部４０ｂに対向する側縁部４０ａ）に設置され、ハウジング２２に設置された軸受け（図示せず）に回転可能に挿通されているとともに、第２加湿エレメント２３ｂの側縁部４０に取り付けられた支持フレーム４２に連結されている。第２加湿エレメント２３ｂは、第２回転軸４３ｂを中心に水平方向へ９０度旋回し、空気流路Ｌを開閉する。
【０１２７】
気化式加湿装置１０Ｃでは、第１加湿エレメント２３ａと第２加湿エレメント２３ｂとが水平方向へ延びる連結ロッド５３によって連結されている。連結ロッド５３は、その一端部５４が第２加湿エレメント２３ｂの上端縁部３８と側縁部４０ｂとの交差部位に位置する第１給水ヘッダ２４ａに固定され、その他端部５５が第１加湿エレメント２３ａの上端縁部３８と側縁部４０ｂとの交差部位に位置する第２給水ヘッダ２４ｂに固定されている。
【０１２８】
モーター２７（駆動機構）は、第２加湿エレメント２３ｂの側縁部４０ａに延びる第２回転軸４３ｂの上方に設置され、第２回転軸４３ｂを時計回り方向と反時計回り方向とへ回転させる。なお、気化式加湿装置１０Ｃは、ギヤを利用してモーター２７の回転軸の回転を第１回転軸４３ａに伝達しつつ第１加湿エレメント２３ａを旋回させる構成ではなく、モーター２７を利用するとともに連結ロッド５３を利用して第２加湿エレメント２３ｂと第１加湿エレメント２３ａとを旋回させる。
【０１２９】
気化式加湿装置１０Ｃは、図１の気化式加湿装置１０Ａと同様に、コントローラ２９が湿度センサ２８から送信された測定湿度と記憶領域に記憶した目標湿度とを比較し、その比較結果に基づいて加湿運転、非加湿運転、一部加湿運転のいずれかを選択し、選択した加湿運転、非加湿運転、一部加湿運転のいずれかを実施する。加湿運転における気化式加湿装置１０Ｃでは、図１９に示すように、第１および第２加湿エレメント２３ａ，２３ｂの空気流入面３６と空気流出面３７とが空気通流方向に直交するように、第１加湿エレメント２３ａが第１回転軸４３ａを中心に空気流路Ｌを閉鎖した全閉状態に旋回するとともに、第２加湿エレメント２３ｂが第２回転軸４３ｂを中心に空気流路Ｌを閉鎖した全閉状態に旋回する。
【０１３０】
一部加湿運転における気化式加湿装置１０Ｃでは、図２０に示すように、第１加湿エレメント２３ａの空気流入面３６と空気流出面３７とが空気通流方向に対して所定角度で傾斜するように、加湿エレメント２３ａが第１回転軸４３ａを中心に空気流路Ｌを一部開放した一部開放状態に所定角度旋回するとともに、第２加湿エレメント２３ｂの空気流入面３６と空気流出面３７とが空気通流方向に対して所定角度で傾斜するように、加湿エレメント２３ｂが第２回転軸４３ｂを中心に空気流路Ｌを一部開放した一部開放状態に所定角度旋回する。
【０１３１】
気化式加湿装置１０Ｃでは、モーター２７の回転軸が反時計回り方向へ回転し、それによって第２加湿エレメント２３ｂの側縁部４０ａに延びる第２回転軸４３ｂが反時計回り方向へ回転し、第２加湿エレメント２３ｂが所定角度旋回する。第２加湿エレメント２３ｂが旋回すると、加湿エレメント２３ｂの上端縁部３８と側縁部４０ｂとの交差部位に固定された連結ロッド５３の一端部５４が空気通流方向前方へ移動するとともに、第１加湿エレメント２３ａの上端縁部３８と側縁部４０ｂとの交差部位に固定された連結ロッド５３の他端部５５が空気通流方向前方へ移動する。それによって第１加湿エレメント２３ａの側縁部４０ｂが空気通流方向前方へ旋回し、加湿エレメント２３ａが第１回転軸４３ａを中心に所定角度旋回する。
【０１３２】
非加湿運転における気化式加湿装置１０Ｃでは、図２１に示すように、第１加湿エレメント２３ａの空気流入面３６と空気流出面３７とが空気通流方向に平行するように、加湿エレメント２３ａが第１回転軸４３ａを中心に空気流路Ｌを開放した全開状態に旋回するとともに、第２加湿エレメント２３ｂの空気流入面３６と空気流出面３７とが空気通流方向に平行するように、加湿エレメント２３ｂが第２回転軸４３ｂを中心に空気流路Ｌを開放した全開状態に旋回する。この気化式加湿装置１０Ｃは、図１の気化式加湿装置１０Ａと同一の効果を有する。
【０１３３】
気化式加湿装置１０Ｃでは、非加湿運転から一部加湿運転または加湿運転に切り替わる場合、非加湿運転の状態から第２回転軸４３ｂが時計回り方向へ回転する。第２回転軸４３ｂが時計回り方向へ回転し、第２加湿エレメント２３ｂが旋回すると、連結ロッド５３の一端部５４が空気通流方向後方へ移動するとともに、連結ロッド５３の他端部５５が空気通流方向後方へ移動し、第１加湿エレメント２３ａの側縁部４０ｂが空気通流方向後方へ旋回する。
【０１３４】
図２２は、他の一例として示す気化式加湿装置１０Ｄの正面図であり、図２３は、加湿運転時の気化式加湿装置１０Ｄの上面図である。図２４は、一部加湿運転時の気化式加湿装置１０Ｄの上面図であり、図２５は、非加湿運転時の気化式加湿装置１０Ｄの上面図である。図２３〜図２５は、気化式加湿装置１０Ｄのハウジング２２や第１および第２給水ヘッダ２４ａ，２４ｂ、給水分配ヘッダ２５の図示を省略している。
【０１３５】
この気化式加湿装置１０Ｄが図１のそれと異なるところは、第１回転軸４３ａが第１加湿エレメント２３ａの中央部４１に設置されている点、第２回転軸４３ｂが第２加湿エレメント２３ｂの中央部４１に設置されている点、第１加湿エレメント２３ａと第２加湿エレメント２３ｂとが連結ロッド５３によって連結され、第１加湿エレメント２３ａの旋回が連結ロッド５３を利用して行われる点、モーター２７（駆動機構）が第２回転軸４３ｂの上方に設置されている点にある。
【０１３６】
気化式加湿装置１０Ｄのその他の構成は、図１の気化式加湿装置１０Ａのそれらと同一であるから、気化式加湿装置１０Ａと同一の符号を付すとともに、気化式加湿装置１０Ａの説明を援用することで、気化式加湿装置１０Ｄにおけるその他の構成の詳細な説明は省略する。なお、気化式加湿装置１０Ｄのハウジング２２や第１および第２加湿エレメント２３ａ，２３ｂ、第１および第２給水ヘッダ２４ａ，２４ｂ、給水分配ヘッダ２５、ドレンパン２６、モーター２７（駆動機構）、湿度センサ２８、コントローラ２９は図１の気化式加湿装置１０Ａのそれらと同一である。
【０１３７】
第１回転軸４３ａは、第１加湿エレメント２３ａの中央部４１に設置され、ハウジング２２に設置された軸受け（図示せず）に回転可能に挿通されているとともに、第１給水ヘッダ２４ａと第１加湿エレメント２３ａの下端縁部３９に取り付けられた支持フレーム４２とに連結されている。第１加湿エレメント２３ａは、第１回転軸４３ａを中心に水平方向へ９０度旋回し、空気流路Ｌを開閉する。
【０１３８】
第２回転軸４３ｂは、第２加湿エレメント２３ｂの中央部４１に設置され、ハウジング２２に設置された軸受け（図示せず）に回転可能に挿通されているとともに、第２給水ヘッダ２４ｂと第２加湿エレメント２３ｂの下端部３９に取り付けられた支持フレーム４２とに連結されている。第２加湿エレメント２３ｂは、第２回転軸４３ｂを中心に水平方向へ９０度旋回し、空気流路Ｌを開閉する。
【０１３９】
気化式加湿装置１０Ｄでは、第１加湿エレメント２３ａと第２加湿エレメント２３ｂとが水平方向へ延びる連結ロッド５３によって連結されている。連結ロッド５３は、その一端部５４が第２加湿エレメント２３ｂの上端縁部３８と側縁部４０ｂとの交差部位に位置する第１給水ヘッダ２４ａに固定され、その他端部５５が第１加湿エレメント２３ａの上端縁部３８と側縁部４０ｂとの交差部位に位置する第２給水ヘッダ２４ｂに固定されている。
【０１４０】
モーター２７（駆動機構）は、第２加湿エレメント２３ｂの中央部４１に延びる第２回転軸４３ｂの上方に設置され、第２回転軸４３ｂを時計回り方向と反時計回り方向とへ回転させる。気化式加湿装置１０Ｄは、図１８の気化式加湿装置１０Ｃと同様に、モーター２７を利用するとともに連結ロッド５３を利用して第２加湿エレメント２３ｂと第１加湿エレメント２３ａとを旋回させる。
【０１４１】
気化式加湿装置１０Ｄは、図１の気化式加湿装置１０Ａと同様に、コントローラ２９が湿度センサ２８から送信された測定湿度と記憶領域に記憶した目標湿度とを比較し、その比較結果に基づいて加湿運転、非加湿運転、一部加湿運転のいずれかを選択し、選択した加湿運転、非加湿運転、一部加湿運転のいずれかを実施する。加湿運転における気化式加湿装置１０Ｄでは、図２３に示すように、第１および第２加湿エレメント２３ａ，２３ｂの空気流入面３６と空気流出面３７とが空気通流方向に直交するように、第１加湿エレメント２３ａが第１回転軸４３ａを中心に空気流路Ｌを閉鎖した全閉状態に旋回するとともに、第２加湿エレメント２３ｂが第２回転軸４３ｂを中心に空気流路Ｌを閉鎖した全閉状態に旋回する。
【０１４２】
一部加湿運転における気化式加湿装置１０Ｄでは、図２４に示すように、第１加湿エレメント２３ａの空気流入面３６と空気流出面３７とが空気通流方向に対して所定角度で傾斜するように、加湿エレメント２３ａが第１回転軸４３ａを中心に空気流路Ｌを一部開放した一部開放状態に所定角度旋回するとともに、第２加湿エレメント２３ｂの空気流入面３６と空気流出面３７とが空気通流方向に対して所定角度で傾斜するように、加湿エレメント２３ｂが第２回転軸４３ｂを中心に空気流路Ｌを一部開放した一部開放状態に所定角度旋回する。
【０１４３】
気化式加湿装置１０Ｄでは、モーター２７の回転軸が時計回り方向へ回転し、それによって第２加湿エレメント２３ｂの中央部４１に延びる第２回転軸４３ｂが時計回り方向へ回転し、第２加湿エレメント２３ｂが所定角度旋回する。第２加湿エレメント２３ｂが旋回すると、加湿エレメント２３ｂの上端縁部３８と側縁部４０ｂとの交差部位に固定された連結ロッド５３の一端部５４が空気通流方向前方へ移動するとともに、第１加湿エレメント２３ａの上端縁部３８と側縁部４０ｂとの交差部位に固定された連結ロッド５３の他端部５５が空気通流方向前方へ移動する。それによって第１加湿エレメント２３ａの側縁部４０ｂが空気通流方向前方へ旋回し、加湿エレメント２３ａが第１回転軸４３ａを中心に所定角度旋回する。
【０１４４】
非加湿運転における気化式加湿装置１０Ｄでは、図２５に示すように、第１加湿エレメント２３ａの空気流入面３６と空気流出面３７とが空気通流方向に平行するように、加湿エレメント２３ａが第１回転軸４３ａを中心に空気流路Ｌを開放した全開状態に旋回するとともに、第２加湿エレメント２３ｂの空気流入面３６と空気流出面３７とが空気通流方向に平行するように、加湿エレメント２３ｂが第２回転軸４３ｂを中心に空気流路Ｌを開放した全開状態に旋回する。この気化式加湿装置１０Ｄは、図１の気化式加湿装置１０Ａと同一の効果を有する。
【０１４５】
気化式加湿装置１０Ｄでは、非加湿運転から一部加湿運転または加湿運転に切り替わる場合、非加湿運転の状態から第２回転軸４３ｂが反時計回り方向へ回転する。第２回転軸４３ｂが反時計回り方向へ回転し、第２加湿エレメント２３ｂが旋回すると、連結ロッド５３の一端部５４が空気通流方向後方へ移動するとともに、連結ロッド５３の他端部５５が空気通流方向後方へ移動し、第１加湿エレメント２３ａの側縁部４０ｂが空気通流方向後方へ旋回する。
【０１４６】
図２６は、気化式加湿装置１０Ａと空気調和機１８との連結の他の一例を示す図である。図２６では、気化式加湿装置１０Ａが空気調和機１８の下流側に配置（連結）されている。気化式加湿装置１０Ａと空気調和機１８とは、床置き型であり、データセンター１１の機械室１３の床２０に設置される。気化式加湿装置１０Ａは、ハウジング２２および第１および第２加湿エレメント２３ａ，２３ｂと、第１および第２給水ヘッダ２４ａ，２４ｂおよび給水分配ヘッダ２５と、ドレンパン２６およびモーター２７（駆動機構）と、湿度センサ２８およびコントローラ２９（制御装置）とを備えている。
【０１４７】
ハウジング２２や第１および第２加湿エレメント２３ａ，２３ｂ、第１および第２給水ヘッダ２４ａ，２４ｂ、給水分配ヘッダ２５、ドレンパン２６、モーター２７、湿度センサ２８、コントローラ２９は、図１の気化式加湿装置１０Ａのそれらと同一である。ハウジング２２の空気流入口３３には、接続ダクト３５が接続されている。ハウジング２２の収容空間には、加湿エレメント２３や給水ヘッダ２４、給水分配ヘッダ２５、ドレンパン２６、モーター２７が収容されている。
【０１４８】
気化式加湿装置１０Ａのハウジング２２は、接続ダクト３５を介して空気調和機１８の下流に連結されている。ハウジング４９の空気流出口３４には、給気ダクト５１が接続されている。給気ダクト５１は、ハウジング４９の前方底部から空調室１２の床下空間１５に向かって延出し、その先端部が仕切壁１４を貫通して空調室１２の床下空間１５に位置している。
【０１４９】
空気調和機１８は、フィルタ４６と、フィルタ４６の下流側に設置された冷温水コイル４７と、冷温水コイル４７の下流側に設置された送風ファン４８とを備えている。フィルタ４６や冷温水コイル４７、送風ファン４８は、ハウジング４９に収容されている。空気調和機１８のハウジング４９には、外気を吸気する吸気口５０が開口し、温度の低い外気や冷却空気を気化式加湿装置１０Ａに給気する給気口５６が開口している。ハウジング４９の給気口５６には、接続ダクト３５が接続されている。
【０１５０】
気化式加湿装置１０Ａは、空気調和機１８から給気された温度の低い外気を加湿空気（加湿冷風）または非加湿空気（非加湿冷風）として空調室１２のコールドアイルに給気する。または、空調室１２から還流した還気（温風）と温度の低い外気との混合気が加湿空気（加湿冷風）または非加湿空気（非加湿冷風）として空調室１２のコールドアイルに給気する。あるいは、空調室１２から還流した還気（温風）が空気調和機１８によって冷却され、空気調和機１８の冷温水コイル４７によって冷却された冷却空気（還気）を加湿空気（加湿冷風）または非加湿空気（非加湿冷風）として空調室１２のコールドアイルに給気する。
【０１５１】
気化式加湿装置１０Ａが空気調和機１８の下流側に連結された図２６の態様において、加湿運転や一部加湿運転、非加湿運転が実施され、気化式加湿装置１０Ａが空気調和機１８の下流側に連結された態様であっても、気化式加湿装置１０Ａが空気調和機１８の上流側に連結された図２の態様と同一の効果を実現することができる。なお、気化式加湿装置１０Ｂまたは気化式加湿装置１０Ｃあるいは気化式加湿装置１０Ｄのうちのいずれかが空気調和機１８の下流側に連結されていてもよい。
【０１５２】
図２７は、他の一例として示す空気調和機１８の側面図である。空気調和機１８は、その内部に気化式加湿装置１０Ａが設置されている。空気調和機１８は、床置き型であり、データセンター１１の機械室１３の床２０に設置される。空気調和機１８は、フィルタ４６と、フィルタ４６の下流側に設置された冷温水コイル４７と、冷温水コイル４７の下流側に設置された気化式加湿装置１０Ａと、気化式加湿装置１０Ａの下流側に設置された送風ファン４８とを備えている。フィルタ４６や冷温水コイル４７、気化式加湿装置１０Ａ、送風ファン４８は、ハウジング４９に収容されている。
【０１５３】
図２７の空気調和機１８は、その外側に気化式加湿装置が連結されておらず、その内部に気化式加湿装置１０Ａが設置されている点、気化式加湿装置１０Ａがハウジング２２に収容されておらず、空気調和機１８のハウジング４９に収容されている点を除き、その他の構成は図２の空気調和機１８のそれと同一であり、データセンター１１において外気冷房または循環冷房のいずれかを行う。気化式加湿装置１０Ａは、空気調和機１８の内部において加湿空気または非加湿空気を生成し、加湿運転、一部加湿運転、非加湿運転のいずれかを実施する。なお、気化式加湿装置１０Ａではなく、気化式加湿装置１０Ｂまたは気化式加湿装置１０Ｃあるいは気化式加湿装置１０Ｄのうちのいずれかが空気調和機１８の内部に設置され、気化式加湿装置１０Ｂまたは気化式加湿装置１０Ｃあるいは気化式加湿装置１０Ｄのうちのいずれかがハウジング４９に収容されていてもよい。
【０１５４】
気化式加湿装置１０Ａは、第１および第２加湿エレメント２３ａ，２３ｂと、第１および第２給水ヘッダ２４ａ，２４ｂおよび給水分配ヘッダ２５と、ドレンパン２６およびモーター２７（駆動機構）と、湿度センサ２８およびコントローラ２９（制御装置）とを備えている。なお、空気調和機１８の内部に図１４の気化式加湿装置１０Ｂや図１８の気化式加湿装置１０Ｃ、図２２の気化式加湿装置１０Ｄのいずれかが設置されていてもよい。
【０１５５】
可動型の気化式加湿装置１０Ａ（気化式加湿装置１０Ｂ〜１０Ｄを含む）を空気調和機１８の内部に設置することで、空気調和機１８によって作られた空調空気に所定の湿度を付与することができ、空気調和機１８から空調された加湿空気を給気することができる。気化式加湿装置１０Ａ（気化式加湿装置１０Ｂ〜１０Ｄを含む）は、空気調和機１８に気化式加湿装置１０Ａによる湿度調節機能を付加することができ、空気調和機１８自体において加湿運転や一部加湿運転、非加湿運転を実施することができる。
【符号の説明】
【０１５６】
１０Ａ  気化式加湿装置
１０Ｂ  気化式加湿装置
１０Ｃ  気化式加湿装置
１０Ｄ  気化式加湿装置
１１    データセンター
１２    空調室
１３    機械室
１４    仕切壁
１５    床下空間
１６    天井空間
１７    サーバラック
１８    空気調和機
１９    天井
２０    床
２１    側壁
２２    ハウジング
２３    加湿エレメント
２３ａ  第１加湿エレメント
２３ｂ  第２加湿エレメント
２４    給水ヘッダ
２４ａ  第１給水ヘッダ
２４ｂ  第２給水ヘッダ
２５    給水分配ヘッダ
２６    ドレンパン
２７    モーター
２８    湿度センサ
２９    コントローラ
３０    頂壁
３１    底壁
３２    側壁
３３    空気流入口
３４    空気流出口
３５    接続ダクト
３６    空気流入面
３７    空気流出面
３８    上端縁部
３９    下端縁部
４０ａ  側縁部
４０ｂ  側縁部
４１    中央部
４２    支持フレーム
４３    回転軸
４３ａ  第１回転軸
４３ｂ  第２回転軸
４４    給水管
４５    電磁弁
４６    フィルタ
４７    冷温水コイル
４８    送風ファン
４９    ハウジング
５０    吸気口
５１    給気ダクト
５２    温度センサ
５３    連結ロッド
５４    一端部
５５    他端部
５６    給気口
【図１】
2018021682.tif 000003
【図２】
2018021682.tif 000004
【図３】
2018021682.tif 000005
【図４】
2018021682.tif 000006
【図５】
2018021682.tif 000007
【図６】
2018021682.tif 000008
【図７】
2018021682.tif 000009
【図８】
2018021682.tif 000010
【図９】
2018021682.tif 000011
【図１０】
2018021682.tif 000012
【図１１】
2018021682.tif 000013
【図１２】
2018021682.tif 000014
【図１３】
2018021682.tif 000015
【図１４】
2018021682.tif 000016
【図１５】
2018021682.tif 000017
【図１６】
2018021682.tif 000018
【図１７】
2018021682.tif 000019
【図１８】
2018021682.tif 000020
【図１９】
2018021682.tif 000021
【図２０】
2018021682.tif 000022
【図２１】
2018021682.tif 000023
【図２２】
2018021682.tif 000024
【図２３】
2018021682.tif 000025
【図２４】
2018021682.tif 000026
【図２５】
2018021682.tif 000027
【図２６】
2018021682.tif 000028
【図２７】
2018021682.tif 000029